(57)【要約】【課題】  遊技機に設定されているリーチ目を当該遊技機で遊技を行う遊技者のみが確認し得る遊技機を提供すること。【解決手段】  特定の当選役が持ち越されている場合にのみ停止表示される図柄又は図柄の組合せ（所謂リーチ目）ごとに定められた持越時停止態様データをコード化したコード情報を、外部から撮像手段により撮像可能な態様で表示するコード情報表示手段を備えたことを特徴とする遊技機。【選択図】    図２３
2006075521.tif 000002
【特許請求の範囲】
【請求項１】
遊技者による操作に応じて遊技開始指令信号を出力する遊技開始指令手段と、
前記遊技開始指令手段から出力された前記遊技開始指令信号を検出したことに基づいて、複数の識別情報を変動表示する変動表示手段と、
前記遊技開始指令手段から出力された前記遊技開始指令信号を検出したことに基づいて、当選役を決定する当選役決定手段と、
遊技者による操作に応じて停止指令信号を出力する停止指令手段と、
前記当選役決定手段により決定された当選役が成立し得るタイミングで、前記停止指令手段から出力された前記停止指令信号を検出した場合に、当該当選役を示す入賞態様となるように前記識別情報の変動表示を停止させる停止制御手段と、
前記当選役決定手段によって特定の当選役が決定され、前記変動表示手段によって前記特定の当選役を示す入賞態様となるように識別情報の停止表示がされなかった場合に、次の遊技に前記特定の当選役を持ち越す特定当選役持越手段と、
前記特定当選役持越手段によって特定の当選役が持ち越されている場合にのみ前記変動表示手段に停止表示される識別情報ごとに定められた持越時停止態様データをコード化したコード情報を、外部から撮像手段により撮像可能な態様で表示するコード情報表示手段と
を備えたことを特徴とする遊技機。
【請求項２】
請求項１に記載の遊技機と、前記撮像手段を備えた携帯端末機と、前記携帯端末機と通信回線を介してデータの送受信を行うことが可能なサーバとを備えたサービス提供システムであって、
前記携帯端末機は、
前記撮像手段がコード情報を撮像した際に得られる画像データからコード情報を認識し、この認識したコード情報から、前記持越時停止態様データを生成するコード情報認識手段と、
前記コード情報認識手段により生成された持越時停止態様データを前記サーバに送信する持越時停止態様データ送信手段とを備え、
前記サーバは、
前記特定当選役持越手段によって特定の当選役が持ち越されている場合にのみ前記変動表示手段に停止表示される識別情報を表す持越時停止態様表示データを、前記持越時停止表示態様データに対応させて記憶する持越時停止態様表示データ記憶手段と、
前記携帯端末機から受信した持越時停止態様データに対応した持越時停止態様表示データを、前記持越時停止態様表示データ記憶手段から抽出する抽出手段と、
前記抽出手段により抽出された持越時停止態様表示データを前記携帯端末機に送信する持越時停止態様表示データ送信手段とを備えたことを特徴とするサービス提供システム。
【請求項３】
請求項２に記載のサービス提供システムを構成するサーバであって、
前記特定当選役持越手段によって特定の当選役が持ち越されている場合にのみ前記変動表示手段に停止表示される識別情報を表す持越時停止態様表示データを、前記持越時停止表示態様データに対応させて記憶する持越時停止態様表示データ記憶手段と、
前記携帯端末機から受信した持越時停止態様データに対応した持越時停止態様表示データを、前記持越時停止態様表示データ記憶手段から抽出する抽出手段と、
前記抽出手段により抽出された持越時停止態様表示データを前記携帯端末機に送信する持越時停止態様表示データ送信手段とを備えたことを特徴とするサーバ。
【請求項４】
請求項２に記載のサービス提供システムを構成する携帯端末機であって、
前記撮像手段がコード情報を撮像した際に得られる画像データからコード情報を認識し、この認識したコード情報から、前記持越時停止態様データを生成するコード情報認識手段と、
前記コード情報認識手段により生成された持越時停止態様データを前記サーバに送信する持越時停止態様データ送信手段とを備えたことを特徴とする携帯端末機。
【発明の詳細な説明】
【技術分野】
【０００１】
本発明は、例えば、パチスロ遊技装置等の遊技機、当該遊技機とサーバと携帯端末機とを備えたサービス提供システム、当該サービス提供システムを構成するサーバ、及び、当該サービス提供システムを構成する携帯端末機に関する。
【背景技術】
【０００２】
例えば、停止ボタンを備えたスロットマシン、所謂パチスロ遊技装置は、正面の表示窓内に複数の図柄を表示する機械的回転リールを複数配列して構成した変動表示装置、又は、リール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が所定の組合せ（入賞図柄）になった場合にコイン、メダル等の遊技媒体を払出すことで遊技者に利益を付与するものである。
【０００３】
現在主流の機種においては、有効化された入賞ライン（以下「有効ライン」という）に沿って所定の図柄の組合せが並び、遊技媒体が払出される入賞が成立するには、内部的な抽選処理（以下、「内部抽選」ともいう）により入賞役に当選（以下、「内部当選」ともいう）し、且つその内部当選した入賞役（以下、「当選役」ともいう）の入賞成立を示す図柄の組合せを有効ラインに停止させ得るタイミングで遊技者が停止操作を行うことが要求される。つまり、いくら内部当選したとしても、遊技者の停止操作のタイミングが悪いと入賞を成立させることができない。すなわち、停止操作のタイミングに熟練した技術が要求される（「目押し」といわれる技術介入性の比重が高い）パチスロ遊技装置が現在の主流である。しかし、リールの回転中には図柄が高速で変動表示されているため、全ての遊技者が目押し操作を行うことができるわけではない。例えば、動体視力に優れ、遊技に熟練した遊技者であれば、目押し操作を行うことができるが、遊技に熟練していない初心者にとっては、目押し操作を行うことは困難であった。また、当選役が決定されたゲームで当該当選役に入賞しなければならない構成とすると、目押し操作を上手く行うことができない初心者は、当該当選役に入賞することが困難であり、遊技者間の遊技技量の格差による獲得枚数に大きな開きが出てしまう場合があった。
【０００４】
そこで、従来のパチスロ遊技装置としては、例えば、ＢＢ（ビッグボーナス）やＲＢ（レギュラーボーナス）等の特定の当選役については、入賞が成立するまで当該当選役が持ち越され、特定の当選役が持ち越されている状態にのみ停止表示される停止図柄態様（以下、リーチ目ともいう）が設定されている遊技機が存在する。このような遊技機によれば、遊技者は、ＢＢやＲＢ等の特定の当選役に内部当選していることをリーチ目によって察知することができるため、当該当選役を成立させるように狙って停止操作を行えばよく、初心者であっても当該当選役に入賞することが可能になる。
【０００５】
また、リーチ目が設けられた遊技機のなかには、リーチ目が数百種類以上にも及ぶものもあり、また機種ごとにリーチ目が異なっているため、相当遊技に熟練した遊技者でなければ、それらを判断材料として当選役を察知することが難しいという問題があった。
このような問題を解決すべく、近年では、例えば、ガイドメニュー等によってリーチ目の表示を選択すると、遊技機に設定された複数種類のリーチ目が画像表示装置等の表示部に表示される遊技機や、停止図柄態様がリーチ目である場合に表示部に表示される画像や音声等によって報知する遊技機（例えば、特許文献１参照）が存在する。
【０００６】
さらに、近年では、例えば、初期設定では、ガイドメニュー等によってリーチ目の表示を選択すると、遊技機に設定された複数種類のリーチ目の一部が表示部に表示されるが、特定のリーチ目は表示されず、所定の条件（例えば、停止図柄態様が当該特定のリーチ目に合致すること等）が満たされた場合に、当該特定のリーチ目も表示されるというように、遊技状況又は遊技結果に応じてガイドメニュー等によって確認し得るリーチ目の種類が変化する遊技機が存在する。このような遊技機によれば、所定の条件を成立させることができた場合には有利に遊技を進めることが可能になるため、遊技に新たな面白みを付加することができる。また、初期設定では明らかにされていないリーチ目を、所定の条件を成立させることができた遊技者に対する特典として表示するため、当該リーチ目を知ることができた遊技者は優越感や満足感を得ることができる。
【０００７】
【特許文献１】特開２００３−２６５６８８号公報
【発明の開示】
【発明が解決しようとする課題】
【０００８】
しかしながら、初期設定では明らかにされていないリーチ目が表示部に表示されると、当該遊技機で遊技を行っている遊技者だけではなく、その遊技機における遊技を見ているだけの他の遊技者や、隣接する遊技機で遊技を行っている他の遊技者等も、そのリーチ目を見ることができるため、本来であれば遊技を行っている遊技者本人のみの特典であるはずのリーチ目が他の遊技者にも知られてしまうおそれがあった。
このような場合には、所定の条件を成立させることができた遊技者に対する特典としてリーチ目を表示しているにも拘わらず、遊技者に優越感や満足感を抱かせることができないばかりか、却って不快感を抱かせてしまうという問題があった。
【０００９】
本発明は、上述した課題に鑑みてなされたものであり、その目的は、遊技機に設定されているリーチ目を当該遊技機で遊技を行う遊技者のみが確認し得る遊技機、当該遊技機とサーバと携帯端末機とを備えたサービス提供システム、当該サービス提供システムを構成するサーバ、及び、当該サービス提供システムを構成する携帯端末機を提供することにある。
【課題を解決するための手段】
【００１０】
以上のような目的を達成するために、本発明は、以下のようなものを提供する。
（１）遊技者による操作に応じて遊技開始指令信号を出力する遊技開始指令手段と、
前記遊技開始指令手段から出力された前記遊技開始指令信号を検出したことに基づいて、複数の識別情報を変動表示する変動表示手段と、
前記遊技開始指令手段から出力された前記遊技開始指令信号を検出したことに基づいて、当選役を決定する当選役決定手段と、
遊技者による操作に応じて停止指令信号を出力する停止指令手段と、
前記当選役決定手段により決定された当選役が成立し得るタイミングで、前記停止指令手段から出力された前記停止指令信号を検出した場合に、当該当選役を示す入賞態様となるように前記識別情報の変動表示を停止させる停止制御手段と、
前記当選役決定手段によって特定の当選役が決定され、前記変動表示手段によって前記特定の当選役を示す入賞態様となるように識別情報の停止表示がされなかった場合に、次の遊技に前記特定の当選役を持ち越す特定当選役持越手段と、
前記特定当選役持越手段によって特定の当選役が持ち越されている場合にのみ前記変動表示手段に停止表示される識別情報ごとに定められた持越時停止態様データをコード化したコード情報を、外部から撮像手段により撮像可能な態様で表示するコード情報表示手段と
を備えたことを特徴とする遊技機。
【００１１】
（１）の発明によれば、特定当選役持越手段によって特定の当選役が持ち越されている場合にのみ変動表示手段に停止表示される識別情報（以下、リーチ目ともいう）に対応した持越時停止態様データをコード化したコード情報が、外部から撮像手段により撮像可能な態様で表示されるため、例えば、携帯電話機が備える撮像手段（例えばカメラ等）でコード情報を撮像し、得られた画像データから生成される持越時停止態様データを外部（例えばサーバ等）に送信することにより、リーチ目を示す持越時停止態様表示データを外部から携帯電話機に送信され、携帯電話機によってリーチ目を確認することができるというサービスを提供することが可能になる。このようなサービスを提供した場合、遊技者は、携帯電話機によってリーチ目を確認することができるため、他の遊技者に当該リーチ目を知られないようにすることが可能である。
従って、当該リーチ目が特典として明らかにされたものである場合には、遊技者は、他の遊技者に当該リーチ目を見られることを防止し得るので、不快感を抱くことなく、優越感や満足感を得ることができる。
【００１２】
さらに、本発明は、以下のようなものを提供する。
（２）  上記（１）の遊技機と、上記撮像手段を備えた携帯端末機と、上記携帯端末機と通信回線を介してデータの送受信を行うことが可能なサーバとを備えたサービス提供システムであって、
前記携帯端末機は、
前記撮像手段がコード情報を撮像した際に得られる画像データからコード情報を認識し、この認識したコード情報から、前記持越時停止態様データを生成するコード情報認識手段と、
前記コード情報認識手段により生成された持越時停止態様データを前記サーバに送信する持越時停止態様データ送信手段とを備え、
前記サーバは、
前記特定当選役持越手段によって特定の当選役が持ち越されている場合にのみ前記変動表示手段に停止表示される識別情報を表す持越時停止態様表示データを、前記持越時停止表示態様データに対応させて記憶する持越時停止態様表示データ記憶手段と、
前記携帯端末機から受信した持越時停止態様データに対応した持越時停止態様表示データを、前記持越時停止態様表示データ記憶手段から抽出する抽出手段と、
前記抽出手段により抽出された持越時停止態様表示データを前記携帯端末機に送信する持越時停止態様表示データ送信手段とを備えたことを特徴とするサービス提供システム。
【００１３】
（２）の発明によれば、リーチ目に対応した持越時停止態様データをコード化したコード情報が遊技機に表示され、遊技者は、携帯端末機（例えば、携帯電話機等）の撮像手段によりコード情報を撮像し、携帯端末機によってコード情報から生成される持越時停止態様データをサーバに送信することにより、リーチ目を示す持越時停止態様表示データがサーバから携帯端末機に送信されるため、遊技者は携帯電話機によってリーチ目を確認することができ、他の遊技者に当該リーチ目を知られないようにすることが可能である。
従って、当該リーチ目が特典として明らかにされたものである場合には、遊技者は、他の遊技者に当該リーチ目を見られることを防止し得るので、不快感を抱くことなく、優越感や満足感を得ることができる。
【００１４】
さらに、本発明は、以下のようなものを提供する。
（３）  上記（２）のサービス提供システムを構成するサーバであって、
前記特定当選役持越手段によって特定の当選役が持ち越されている場合にのみ前記変動表示手段に停止表示される識別情報を表す持越時停止態様表示データを、前記持越時停止表示態様データに対応させて記憶する持越時停止態様表示データ記憶手段と、
前記携帯端末機から受信した持越時停止態様データに対応した持越時停止態様表示データを、前記持越時停止態様表示データ記憶手段から抽出する抽出手段と、
前記抽出手段により抽出された持越時停止態様表示データを前記携帯端末機に送信する持越時停止態様表示データ送信手段とを備えたことを特徴とするサーバ。
【００１５】
（３）の発明によれば、遊技機に表示されたコード情報を撮像して得られた画像データから携帯端末機によって生成された持越時停止態様データを上記携帯端末機から受信した際に、リーチ目を示す持越時停止態様表示データを携帯端末機に送信するため、遊技者は携帯端末機によってリーチ目を確認することができ、他の遊技者に当該リーチ目を知られないようにすることが可能である。従って、当該リーチ目が特典として明らかにされたものである場合には、遊技者は、他の遊技者に当該リーチ目を見られることを防止し得るので、不快感を抱くことなく、優越感や満足感を得ることができる。
【００１６】
さらに、本発明は、以下のようなものを提供する。
（４）  上記（２）のサービス提供システムを構成する携帯端末機であって、
前記撮像手段がコード情報を撮像した際に得られる画像データからコード情報を認識し、この認識したコード情報から、前記持越時停止態様データを生成するコード情報認識手段と、
前記コード情報認識手段により生成された持越時停止態様データを前記サーバに送信する持越時停止態様データ送信手段とを備えたことを特徴とする携帯端末機。
【００１７】
（４）の発明によれば、リーチ目に対応した持越時停止態様データをコード化したコード情報を表示する遊技機から当該コード情報を撮像し、得られた画像データから持越時停止態様データを生成してサーバに送信することが可能であり、その結果、リーチ目を示す持越時停止態様表示データをサーバから受信することができるため、遊技者は携帯端末機によってリーチ目を確認することができ、他の遊技者に当該リーチ目を知られないようにすることが可能である。従って、当該リーチ目が特典として明らかにされたものである場合には、遊技者は、他の遊技者に当該リーチ目を見られることを防止し得るので、不快感を抱くことなく、優越感や満足感を得ることができる。
【発明の効果】
【００１８】
本発明によれば、遊技機で設定されているリーチ目を当該遊技機で遊技を行う遊技者のみが確認し得るようにすることができる。
【発明を実施するための最良の形態】
【００１９】
［第１実施形態］
図１は、第１実施形態に係るサービス提供システムの一例を示すネットワーク構成図である。
サービス提供システム５００は、パチスロ遊技装置１と、撮像手段としてのＣＣＤカメラ３０８（図示せず、図１９参照）を備えた携帯電話機３００と、携帯電話機３００とインターネットを介して無線によりデータの送受信を行うことが可能なサーバ２００とを備えている。
【００２０】
パチスロ遊技装置１は、コンピュータによって内部的な抽選処理（内部抽選）が行われて内部当選役が決定され、その遊技で内部当選役に入賞しなかった場合、その内部当選役が特定の内部当選役であれば、次の遊技に当該内部当選役が持ち越されるように構成されている。また、内部当選役が持ち越されているときには、後述する変動表示手段としての複数の回転リール３Ｌ、３Ｃ、３Ｒ（図示せず）により停止表示される識別情報（図柄）の組合せが所定の組合せ（所謂リーチ目）となり得るように構成されている。
【００２１】
パチスロ遊技装置１では、回転リール３Ｌ、３Ｃ、３Ｒにより停止表示される識別情報の組合せがリーチ目となった場合、リーチ目ごとに定められた持越時停止態様データ（以下、リーチ目データともいう）がコード化された２次元コード９２が液晶表示装置５に表示される。遊技者は、携帯端末機３００が備えるＣＣＤカメラ３０８により、２次元コード９２を撮像することができる。
【００２２】
携帯電話機３００は、ＣＣＤカメラ３０８が２次元コード９２を撮像した際に得られる画像データから２次元コードを認識し、この認識した２次元コードから、リーチ目データを生成する。そして、リーチ目データをサーバ２００に送信する。
【００２３】
サーバ２００は、予めハードディスクドライブ２０５（図示せず、図２０参照）に記憶された持越時停止態様表示データ（以下、リーチ目表示データともいう）のなかから、携帯端末機３００から受信したリーチ目データに基づいて、リーチ目表示データを抽出する。
なお、リーチ目表示データとしては、特に限定されるものではなく、例えば、リーチ目を表す画像データやテキストデータ等を挙げることができる。
リーチ目表示データを抽出したサーバ２００は、当該リーチ目表示データを携帯電話機３００に送信する。
【００２４】
このように、サービス提供システム５００によれば、遊技者は、パチスロ遊技装置１の液晶表示装置５に表示される２次元コード９２を、携帯電話機３００が備えるＣＣＤカメラ３０８により撮像することにより、携帯電話機３００によってリーチ目データを取得することができ、そのリーチ目データをサーバ２００に送信することにより、リーチ目を表すリーチ目表示データをサーバ２００から取得することができる。その結果、遊技者は、携帯電話機３００によってリーチ目を確認することができ、他の遊技者に当該リーチ目を知られないようにするとこが可能である。
【００２５】
本実施形態においては、リーチ目データ（持越時停止態様データ）が、インターネットにおけるサーバ２００内の所定のアドレスを示すＵＲＬであり、リーチ目データとしてのＵＲＬに基づいて携帯電話機３００からサーバ２００にアクセスすると、サーバ２００からリーチ目表示データ（持越時停止態様表示データ）として、リーチ目を表示するための画像を表す画像データが携帯電話機３００に送信される場合について説明するが、本発明において、リーチ目データは、この例に限定されるものではなく、例えば、リーチ目データが、リーチ目表示データであってもよい。このようにした場合、サーバ２００にアクセスすることなく、リーチ目を確認することが可能になる。
【００２６】
サービス提供システム５００におけるパチスロ遊技装置１は、本発明の遊技機に相当するものである。本発明の遊技機は、この例に限定されず、例えば、パチンコ遊技装置、スロットマシン等を挙げることができる。
【００２７】
本実施形態ではコード情報として、２次元コードを用いる場合について説明するが、本発明におけるコード情報は、２次元コードのみならず、１次元コード（バーコード）も含まれる。また、本実施形態では、２次元コードとしてＱＲコード（登録商標）を用いる場合について説明するが、本発明はこの例に限定されるものではない。
【００２８】
携帯電話機３００は、本発明の携帯端末機に相当するものである。なお、本発明の携帯端末機は、撮像手段を備え、かつ、サーバと通信回線を介してデータの送受信を行うことが可能であれば、特に限定されるものではなく、例えば、パーソナル・ディジタル・アシスタンツ、上記サービス提供システムの専用の携帯端末機等を挙げることができる。
【００２９】
また、第１実施形態においては、携帯電話機３００とサーバ２００とが無線によりデータの送受信を行う場合について説明するが、本発明は、この例に限定されず、有線により送受信を行うこととしてもよい。すなわち、本発明における通信回線には、有線と、無線による伝送路とが含まれる。
【００３０】
図２は、図１に示したパチスロ遊技装置の一例を模式的に示す斜視図である。
このパチスロ遊技装置１は、コイン、メダル又はトークン等の他、遊技者に付与されたか、若しくは、付与される遊技価値の情報を記憶したカード等の遊技媒体を用いて遊技を行うことが可能な遊技機であるが、以下においては、メダルを用いるものとして説明することとする。
【００３１】
パチスロ遊技装置１の全体を形成している筐体２の正面には、液晶表示装置５が設置されている。この液晶表示装置５は、透明液晶パネル３４（図示せず）を備えており、この透明液晶パネル３４は、その一部又は全部を透明／非透明の状態に切り替えることが可能であるとともに、コード情報としての２次元コード９２を表示することが可能である。
液晶表示装置５は、コード情報表示手段として機能するものである。
本実施形態においては、コード情報表示手段としての液晶表示装置５が、回転リール３の前面に設けられている場合について説明するが、本発明において、コード情報表示手段が設けられる位置は、特に限定されるものではない。また、本実施形態においては、コード情報表示手段としての液晶表示装置５に、演出画像等も表示される場合について説明するが、本発明においては、演出画像等が表示される表示手段と、コード情報表示手段とが個別に設けられることとしてもよい。
【００３２】
また、液晶表示装置５の背面側には、変動表示手段としての３個の回転リール３Ｌ、３Ｃ、３Ｒが設けられている。３個の回転リール３Ｌ、３Ｃ、３Ｒは、それぞれその外周面に複数の図柄等の識別情報が表示されており、回転可能に横一列に設けられている。
【００３３】
液晶表示装置５の下方には、水平面を有する台座部１０が形成されており、台座部１０の右側には、メダル投入口２２が設けられ、台座部１０の左側には、１−ＢＥＴスイッチ１１及び最大ＢＥＴスイッチ１３が設けられている。
【００３４】
台座部１０の前面部の左寄りには、遊技者が遊技で獲得したメダルのクレジット／払い出しを押し操作により切り替える貯留メダル精算スイッチ１４が設けられている。
この貯留メダル精算スイッチ１４の切り替えにより「払い出し」が選択された場合には、正面下部のメダル払出口１５からメダルが払い出され、払い出されたメダルはメダル受部１６に溜められる。一方、「クレジット」が選択された場合には、パチスロ遊技装置１が備えるメモリ（例えば、後述するＲＡＭ４３等）にメダル数がクレジットとして記憶される。
【００３５】
貯留メダル精算スイッチ１４の右側には、遊技者の操作により回転リール３Ｌ、３Ｃ、３Ｒを回転させるためのスタートレバー６が所定の角度範囲で回動自在に取り付けられている。台座部１０の前面部中央には、３個の回転リール３Ｌ、３Ｒ、３Ｃの回転をそれぞれ停止させるための３個の停止ボタン７Ｌ、７Ｃ、７Ｒが設けられている。
【００３６】
台座部１０の前面部の右寄りには、決定ボタン２６及び取消ボタン２７が設けられている。この決定ボタン２６及び取消ボタン２７を操作することにより、液晶表示装置５の表示画面の切替や指示の入力等を行うことができる。
台座部１０の前面部の右寄りには、さらに、ドア開閉及び打ち止め解除装置２９が設けられており、このドア開閉及び打ち止め解除装置２９は、所定の鍵を用いて、右に回すことにより前面ドアの開閉を行い、左に回すことにより打ち止め解除を行う。
【００３７】
筐体２の上方の左右には、スピーカ２１Ｌ、２１Ｒが設けられ、その２台のスピーカ２１Ｌ、２１Ｒの間には、入賞図柄の組合せ及びメダルの配当枚数等を示す配当表パネル２３が設けられている。
【００３８】
図３は、回転リール３上に配列された図柄列を示した図である。
各回転リール３Ｌ、３Ｃ、３Ｒに表された複数種類の図柄が２１個配列されている。各図柄には“００”〜“２０”のコードナンバーが付され、データテーブルとして、パチスロ遊技装置１が備えるメモリ（例えば、ＲＯＭ）に格納されている。各回転リール３Ｌ、３Ｃ、３Ｒ上には、「青７」、「赤７」、「BAR」、「ベル」、「プラム」、「リプレイ（Replay）」及び「チェリー」の図柄で構成される図柄列が表されている。各回転リール３Ｌ、３Ｃ、３Ｒは、図柄列が矢印方向に移動するように回転駆動される。
【００３９】
図４に示した表は、各遊技状態における入賞図柄組合せに対応する入賞役及び払い出し枚数を示したものである。
遊技状態は、一般遊技状態、ＢＢ中一般遊技状態、ＲＢ遊技状態の３つの状態に区分されている。一般的には、一般遊技状態をＢＢ又はＲＢに内部当選しているか否かによって更に区分することもあるが、内部当選する可能性のある入賞役については同様であることから、この表における区分は表中の３状態で区分している。
【００４０】
なお、内部当選する可能性のある入賞役の種類は、いわゆる確率抽選テーブル（確率抽選テーブルについては後述する）によって定まるものであり、この確率抽選テーブルは、各遊技状態に設けられている。すなわち、同一の遊技状態のゲームでは、内部当選する可能性のある役の種類が同一となる。
【００４１】
図４に示すように、一般遊技状態において、有効ラインに沿って「青７−青７−青７」又は「赤７−赤７−赤７」が並んだときは、ＢＢの入賞が成立し、１５枚のメダルが払い出されると共に、次のゲームの遊技状態が「ＢＢ遊技状態」となる。
【００４２】
「ＲＢ遊技状態」は、「一般遊技状態」において、有効ラインに沿って並んだ図柄の組合せが「BAR− BAR− BAR」であるとき、又は、「ＢＢ中一般遊技状態」において、有効ラインに沿って並んだ図柄の組合せが「Replay−Replay−Replay」であるとき（いわゆる「JAC IN」）に発生し、１５枚のメダルが払い出される。「一般遊技状態」から始まるＲＢを通常ＲＢ、「ＢＢ中一般遊技状態」から始まるＲＢをＢＢ中のＲＢと区別する場合もある。
【００４３】
「ＲＢ遊技状態」は、メダルを１枚賭けることにより所定の図柄組合せ「Replay−Replay−Replay」が揃い、１５枚のメダルを獲得できる役物に当たりやすい遊技状態である。１回の「ＲＢ遊技状態」において遊技可能な最大のゲーム回数（これを「ＲＢゲーム可能回数」という）は、１２回である。また、このＲＢ遊技状態において、入賞できる回数（これを「ＲＢゲーム入賞可能回数」という）は、８回までである。すなわち、この「ＲＢ遊技状態」は、ゲーム回数が１２回に達するか、又は入賞回数が８回に達した場合に終了する。そして、ＲＢ遊技状態が終了すると、一般遊技状態に移行する。
【００４４】
一回のＢＢは、ＢＢ中一般遊技状態を３０ゲーム遊技した場合、又は、ＲＢ遊技状態に３回移行し、３回目のＲＢが終了したところで終了する。そして、ＢＢ遊技状態が終了すると、一般遊技状態に移行する。
【００４５】
一般遊技状態において、有効ラインに沿って並んだ図柄の組合せが「Replay−Replay−Replay」であるときは、再遊技の入賞が成立する。再遊技の入賞が成立すると、投入したメダルの枚数と同数のメダルが自動投入されるので、遊技者は、メダルを消費することなく遊技を行うことができる。
【００４６】
一般遊技状態又はＢＢ中一般遊技状態において、有効ラインに沿って図柄組合せ「ベル−ベル−ベル」が並ぶことにより、「ベルの小役」の入賞が成立する。
一般遊技状態において「ベルの小役」に内部当選したとき、入賞が成立するか否かは、遊技者の停止ボタン７Ｌ、７Ｃ、７Ｒの停止順序が所定の順序であるか否かにより決定される。
【００４７】
ＢＢ中一般遊技状態において、内部当選役「ベルの小役」と、内部当選役「ＲＢ（JAC ＩＮ）」とはグループ役であり、同一のフラグでその成否が判断される。どちらの入賞が成立するかは、停止ボタン７（７Ｌ、７Ｃ、７Ｒ）の停止順序によって決定される。
また、一般遊技状態及びＢＢ中一般遊技状態では、「プラムの小役」や「チェリーの小役」等の入賞成立を実現することが可能であるが、その払い出し枚数は図示のとおりである。
【００４８】
上述したような内部当選役は、所定のタイミング（例えば、スタートレバー６の操作時等）に、所定の数値範囲（例えば０〜１６３８３）のなかから乱数のサンプリングを行い、サンプリングされた乱数値に基づいて、図５に示すような確率抽選テーブルを参照することにより決定される。図５は、一般遊技状態用の確率抽選テーブルであり、このテーブルは、パチスロ遊技装置１が備えるメモリ（例えば、ＲＯＭ等）にデータとして格納される。なお、パチスロ遊技装置１が備えるメモリには、その他にも、ＢＢ中一般遊技状態用の確率抽選テーブルと、ＲＢ遊技状態用の確率抽選テーブルとが、それぞれデータとして格納される。また、パチスロ遊技装置１が備えるメモリには、３つの回転リール３（３Ｌ、３Ｃ、３Ｒ）の停止図柄、すなわち、停止用当選役を決定するための停止用当選役決定テーブルが、データとして格納される。
【００４９】
次に、パチスロ遊技装置１におけるリーチ目について説明する。
図６（ａ）〜（ｆ）は、リーチ目の一例を示す図である。勿論、本発明において、リーチ目は、この例に限定されるものではない。
図６（ａ）は、Ｎｏ．１のリーチ目である。このリーチ目は、回転リール３Ｌのみを停止したときに、左上段から「ＢＡＲ」、「赤７」、「ベル」が停止したものであり、このリーチ目は、ＢＢが内部当選したときにのみ停止表示されるものである。
このように１つの回転リールのみを停止させた状態でリーチ目となるものを１リール確定リーチ目という。
【００５０】
図６（ｂ）は、Ｎｏ．２のリーチ目である。このリーチ目は、回転リール３Ｌ、３Ｃを停止させたときに停止表示されるもので、２リール確定リーチ目という。
このリーチ目は、回転リール３Ｒにどの図柄が停止してもリーチ目となるものであるが、回転リール３Ｌを停止させる際に停止操作位置から２コマ滑って停止したときのみリーチ目となるので、滑り付きリーチ目と称される。
【００５１】
図６（ｃ）は、Ｎｏ．３のリーチ目である。このリーチ目は、全ての回転リール３を停止したときに、この図柄組合せであった場合に初めてリーチ目となるものであり、１つ又は２つの回転リール３のみを停止した状態では、リーチ目となる可能性が残されてはいるものの、リーチ目は確定しない。
【００５２】
図６（ｄ）は、Ｎｏ．４のリーチ目である。このリーチ目は、図柄組合せだけではなく、コードナンバーをも含めてリーチ目となるものである。すなわち、図３に示すように、「ベル」、「リプレイ」、「赤７」の組合せは、コードナンバー“０３”、“０４”、“０５”にも存在するが、このリーチ目は、コードナンバー“１９”、“２０”、“００”の「ベル」、「リプレイ」、「赤７」の組合せが停止しなければ成立しないものである。
【００５３】
図６（ｅ）は、Ｎｏ．５のリーチ目であり、図６（ｆ）は、Ｎｏ．６のリーチ目である。
これらのリーチ目は、小役ハズレリーチ目というものであり、図示した図柄組合せで停止するだけではなく、いずれの小役も成立していない場合にリーチ目となる。また、例えば、図６（ｅ）において、回転リール３Ｌのみを停止させた状態を小役ハズレ目という。すなわち、小役がハズレとなれはリーチ目となる状態である。
【００５４】
図７は、液晶表示装置に表示される画像の一例を模式的に示す図である。
図７に示すように、液晶表示装置５の背面側には、各々の外周面に複数の識別情報である図柄が描かれた３個の回転リール３（３Ｌ、３Ｃ、３Ｒ）が回転可能に横一列に設けられている（図３参照）。
【００５５】
液晶表示装置５は、正面パネル３１と、正面パネル３１の裏面に設けられた透明液晶パネル３４（図示せず）とを備えている。正面パネル３１は、透明な表示窓３１ａと、絵柄が描かれた絵柄形成領域３１ｂとからなり、正面パネル３１の裏面に設けられた透明液晶パネル３４に表示される画面画像は、正面パネル３１の表示窓３１ａを介して視認可能である。
【００５６】
図７に示す透明液晶パネル３４の中央下側には、２次元コード９２が表示され、さらに、その下側には“カメラで撮影して下さい。”という、遊技者に対して携帯電話機３００のＣＣＤカメラ３０８で２次元コード９２を撮像するように促す画像が表示されている。
【００５７】
液晶表示装置５の左側の背面側には、遊技開始表示ランプ２５、ＷＩＮランプ１７、メダル投入ランプ２４、最大ＢＥＴランプ９ｃ、２−ＢＥＴランプ９ｂ及び１−ＢＥＴランプ９ａの各種ランプと、払出枚数表示部１８、メダル貯留枚数表示部１９及び役物作動回数表示部２０の各種表示部とが設けられている。なお、正面パネル３１の絵柄形成領域３１ｂは、上述した各種ランプと各種表示部との前方部分が透明であり、各種ランプと各種表示部とを視認可能となっている。
【００５８】
１−ＢＥＴランプ９ａ、２−ＢＥＴランプ９ｂ、最大ＢＥＴランプ９ｃは、一のゲームを行うために賭けられたメダルの数（以下、ＢＥＴ数ともいう）に応じて点灯する。一のゲームは、全ての回転リールが停止したとき、又は、メダルの払い出しが行われる場合には、メダルが払い出されたときに終了する。
【００５９】
ＷＩＮランプ１７は、ＢＢ（ビッグボーナス）又はＲＢ（レギュラーボーナス）に内部当選した場合に所定確率で点灯し、また、ＢＢ又はＲＢの入賞が成立した場合にも点灯する。遊技メダル投入ランプ２４は、メダルの投入が受け付け可能であるときに点滅する。遊技開始表示ランプ２５は、少なくとも１本のラインが有効化されたときに点灯する。
【００６０】
払出枚数表示部１８は、入賞成立時のメダルの払出枚数を表示するものであり、メダル貯留枚数表示部１９は、貯留されているメダルの枚数を表示するものであり、役物作動回数表示部２０は、ＲＢゲーム可能回数及びＲＢゲーム入賞可能回数等を表示する。これらの表示部は、７セグメント表示器からなるものである。
【００６１】
図８は、図１に示したパチスロ遊技装置が備える液晶表示装置の概略構成を示す斜視図である。図９は、図８に示した液晶表示装置の一部の構成の展開図である。
液晶表示装置５は、保護ガラス３２と表示板３３とからなる正面パネル３１、透明液晶パネル３４、導光板３５、反射フィルム３６、所謂白色光源である蛍光ランプ３７ａ、３７ｂ、３８ａ、３８ｂ、ランプホルダ３９ａ〜３９ｈ、及び、透明液晶パネル駆動用のＩＣを搭載したテーブルキャリアパッケージ（ＴＣＰ）からなり、ＴＣＰは、透明液晶パネル３４の端子部に接続したフレキシブル基板（図示せず）等により構成される。
【００６２】
この液晶表示装置５は、回転リール３Ｌ、３Ｃ、３Ｒにより手前側に設けられている。また、この回転リール３Ｌ、３Ｃ、３Ｒと液晶表示装置５とは、所定の間隔をあけて設けられている。
【００６３】
保護ガラス３２及び表示板３３は、透明な部材で構成されている。表示板３３には、ＢＥＴランプ９ａ〜９ｃに対応する位置等に絵柄等が形成されている。すなわち、表示板３３の絵柄等が形成されている領域が、正面パネル３１における絵柄形成領域３１ｂであり、表示板３３の絵柄等が形成されていない領域が、正面パネル３１における表示窓３１ａである（図２参照）。なお、正面パネル３１に絵柄形成領域３１ｂを形成せず、正面パネル３１の全面を表示窓３１ａとしてもよい。この場合、表示板３３に絵柄を形成しないか、又は、表示板３３を省略すればよい。
なお、表示板３３の裏面側に配置される各種ランプ及び各種表示部を動作させる電気回路等は図示していない。
【００６４】
透明液晶パネル３４は、薄膜トランジスタ層が形成されたガラス板等の透明な基板と、これに対向する透明な基板との間隙部に液晶が封入されて形成されている。
この透明液晶パネル３４の表示モードは、ノーマリーホワイトに設定されている。ノーマリーホワイトとは、液晶を駆動していない状態で白表示（表示面側に透過した光が外部より視認可能である）となる構成である。ノーマリーホワイトに構成された透明液晶パネル３４を採用することにより、液晶を駆動することができない事態が生じた場合であっても、回転リール３Ｌ、３Ｃ、３Ｒに表示された図柄等の識別情報の可変表示及び停止表示を視認することができ、遊技を継続することができる。すなわち、そのような事態が発生した場合でも、回転リール３Ｌ、３Ｃ、３Ｒに表示された識別情報の変動表示態様及び停止表示態様を中心とした遊技を行うことができる。
【００６５】
導光板３５は、蛍光ランプ３７ａ、３７ｂからの光を透明液晶パネル３４へ導き出す（透明液晶パネル３４を照明する）ためのものであり、透明液晶パネル３４の裏側に設けられ、例えば、２ｃｍ程度の厚さを有するアクリル系樹脂等の透明部材（導光機能を有する）で構成されている。
【００６６】
反射フィルム３６は、例えば、白色のポリエステルフィルムやアルミ薄膜に銀蒸着膜を形成したものが用いられ、導光板３５に導入された光を導光板３５の正面側へ向けて反射させる。この反射フィルム３６は、反射領域３６Ａ及び非反射領域（透過領域）３６Ｂにより構成されている。
【００６７】
蛍光ランプ３７ａ、３７ｂは、導光板３５の上端部及び下端部に沿って配置され、両端はランプホルダ３９（図７参照）により支持されている。この蛍光ランプ３７ａ、３７ｂから照射される光は、反射フィルム３６の反射領域３６Ａで反射して透明液晶パネル３４を照明する。
【００６８】
蛍光ランプ３８ａ、３８ｂは、反射フィルム３６の裏側の上方位置及び下方位置に回転リール３Ｌ、３Ｃ、３Ｒに向かって配置されている。この蛍光ランプ３８ａ、３８ｂから出て回転リール３Ｌ、３Ｃ、３Ｒの表面で反射して非反射領域３６Ｂへ入射した光は、透明液晶パネル３４を照明する。
【００６９】
このように、液晶表示装置５においては、蛍光ランプ３７ａ、３７ｂから照射され、反射フィルム３６の反射領域３６Ａで反射した光と、蛍光ランプ３８ａ、３８ｂから照射され、回転リール３Ｌ、３Ｃ、３Ｒの表面で反射して非反射領域３６Ｂへ入射した光とが、透明液晶パネル３４を照明するのである。
従って、反射フィルム３６の非反射領域３６Ｂに対応する液晶表示装置５の領域は、液晶を駆動しているか否かによって、透明／非透明の状態に切り替わる領域であり、反射フィルム３６の反射領域３６Ａに対応する液晶表示装置の領域は、液晶を駆動しているか否かに拘わらず非透明状態となる。
【００７０】
パチスロ遊技装置１では、液晶表示装置の一部の領域のみが、透明／非透明の状態に切り替わる領域であるが、本発明の遊技機において、液晶表示装置の表示画面は、その全領域が透明／非透明の状態に切り替わる領域であってもよい。この場合、パチスロ遊技装置１において、液晶表示装置５の全領域を透過状態又は非透過状態に切り替わる領域とする場合、反射フィルム３６を全て非反射領域３６Ｂとするか、反射フィルム３６を省略すればよい。
【００７１】
図１０は、図１に示したパチスロ遊技装置の内部構成を示すブロック図である。
主制御回路８１は、回路基板上に配置されたマイクロコンピュータ４０を主たる構成要素とするものである。マイクロコンピュータ４０は、予め設定されたプログラムに従って制御動作を行うＣＰＵ４１と、ＲＯＭ４２及びＲＡＭ４３とを含む。ＣＰＵ４１には、基準クロックパルスを設定するクロックパルス発生回路１４４及び分周器１４５と、サンプリングされる乱数を発生する乱数発生器１４６及びサンプリング回路１４７とが接続されている。なお、乱数サンプリングのための手段として、ＣＰＵ４１の動作プログラム上で乱数のサンプリングを実行するように構成してもよい。
【００７２】
ＲＯＭ４２には、副制御回路８２へ送信するための各種制御指令（コマンド）等が格納されている。当該コマンドとしては、例えば、液晶表示装置５に対する表示制御に関するコマンド等が格納されている。
【００７３】
液晶表示装置５に対する表示制御に関するコマンドとしては、例えば、演出開始コマンド、終了演出コマンド等を挙げることができる。
演出開始コマンドは、３つの回転リール３の回転開始時に液晶表示装置５に演出画像を表示させるためのコマンドである。終了演出コマンドは、３つの回転リール３が全て停止した際に液晶表示装置５に演出画像を表示させるためのコマンドである。
また、ＲＢ、ＢＢの設定又は解除に関するコマンドも、ＲＯＭ４２に格納されており、当該コマンドによってＲＢ又はＢＢの設定又は解除が副制御回路８２に通知される。なお、ＲＢ、ＢＢの設定又は解除に関するコマンドにかえて、液晶表示装置５に対する表示制御に関する各種のコマンドに、ＲＢ又はＢＢの実行中であることを示すデータを含めることとしてもよい。
また、ＲＯＭ４２には、リール停止コマンドが格納されている。このリール停止コマンドは、回転している回転リール３が停止されるごとに副制御回路８２に送信されるものであり、その停止された回転リールの種類及び停止された順番と、停止操作が行われた時点のコードナンバーと、停止するまでに何コマ滑るかを示す滑りコマ数とに関する情報が含まれる。すなわち、副制御回路８２に、回転リール３が回転しているか否か、どの位置で停止しているか等の情報が送信されることになる。
【００７４】
上述したような各種のコマンドは、所定条件の成立を契機としてＣＰＵ４１によってＲＯＭ４２から呼び出されてＲＡＭ４３にセットされる。そして、ＲＡＭ４３にセットされたコマンドは所定のタイミングで副制御回路８２に供給される。副制御回路８２は、供給されたコマンドに基づいて各種の処理を実行する。
【００７５】
なお、副制御回路８２が主制御回路８１へコマンド等を入力することはなく、主制御回路８１から副制御回路８２への一方向で通信が行われる。また、ＲＯＭ４２には、回転リール３Ｌ、３Ｃ、３Ｒの回転位置と回転リール外周面上に描かれた図柄とを対応付けるために、図柄テーブル（図３参照）が格納されており、また、入賞となる図柄の組合せと、入賞のメダル配当枚数と、その入賞を表す入賞判定コードとが対応付けられた入賞図柄組合せテーブルや、内部当選役を決定する抽選を行うために必要な確率抽選テーブル（図５参照）等が格納される。ＲＡＭ４３には、上述したコマンド以外に、例えば、メダルの数に相当するクレジット数等、遊技進行に係る変数やフラグ等が格納される。
【００７６】
マイクロコンピュータ４０からの制御信号により動作が制御される主要な周辺装置（アクチュエータ）としては、各種ランプ（１−ＢＥＴランプ９ａ、２−ＢＥＴランプ９ｂ、最大ＢＥＴランプ９ｃ、ＷＩＮランプ１７、遊技メダル投入ランプ２４、遊技開始表示ランプ２５）と、各種表示部（払出枚数表示部１８、メダル貯留枚数表示部１９、役物作動回数表示部２０）と、メダルを収納し、ホッパー駆動回路５１の命令により所定枚数のメダルの払い出しを行うホッパー（払い出しのための駆動部を含む）５０と、回転リール３Ｌ、３Ｃ、３Ｒを回転駆動するステッピングモータ５９Ｌ、５９Ｃ、５９Ｒとがある。
【００７７】
さらに、ステッピングモータ５９Ｌ、５９Ｃ、５９Ｒを駆動制御するモータ駆動回路４９、ホッパー５０を駆動制御するホッパー駆動回路５１、各種ランプを駆動制御するランプ駆動回路５５、及び、各種表示部を駆動制御する表示部駆動回路５８が、Ｉ／Ｏポート４８を介してＣＰＵ４１の出力部に接続されている。これらの駆動回路は、それぞれＣＰＵ４１から出力される駆動指令等の制御信号を受けて、各アクチュエータの動作を制御する。
【００７８】
また、マイクロコンピュータ４０が制御指令を発生するために必要な入力信号を発生させる主な入力信号発生装置としては、スタートスイッチ６Ｓ、１−ＢＥＴスイッチ１１、最大ＢＥＴスイッチ１３、貯留メダル精算スイッチ１４、投入メダルセンサ２２Ｓ、リセットスイッチ６２、設定用鍵型スイッチ６３、リール停止信号回路５６、リール位置検出回路６０、払い出し完了信号回路６１がある。これらもＩ／Ｏポート４８を介してＣＰＵ４１に接続されている。
【００７９】
スタートスイッチ６Ｓは、スタートレバー６の操作を検出する。投入メダルセンサ２２Ｓは、メダル投入口２２に投入されたメダルを検出する。リール停止信号回路５６は、各停止ボタン７Ｌ、７Ｃ、７Ｒの操作に応じて停止信号を発生する。決定ボタン２６及び取消ボタン２７は、これらの操作により、液晶表示装置５の表示画面の切替や指示の入力等を行うことができる。
【００８０】
リール位置検出回路６０は、リール回転センサからのパルス信号を受けて各回転リール３Ｌ、３Ｃ、３Ｒの位置を検出するための信号をＣＰＵ４１に送信する。
払出完了信号回路６１は、メダル検出部５０Ｓの計数値（ホッパー５０から払い出されたメダルの枚数）が指定された枚数に達したとき、メダル払出完了信号を発生する。ＣＰＵ４１がこのメダル払出完了信号を受信すると、ホッパー駆動回路５１を介してホッパー５０の駆動を停止し、メダルの払出を完了させる。このメダル検出部５０Ｓは、ホッパー５０から払い出されるメダルを検出するための物理センサ等からなるメダルセンサを備えており、このメダルセンサにより払い出されるメダルの枚数の計数を行うことができる。
【００８１】
図１０に示した回路において、乱数発生器４６は、一定の数値範囲に属する乱数を発生し、サンプリング回路４７は、スタートレバー６が操作された後の適宜のタイミングで１個の乱数をサンプリングする。こうしてサンプリングされた乱数及びＲＯＭ４２内に格納されている確率抽選テーブル（図５参照）に基づいて、内部当選役が決定される。内部当選役が決定されると、内部当選役を示すデータがＲＡＭ４３に記憶される。また、内部当選役を示すデータは副制御回路８２に送信され、副制御回路８２のワークＲＡＭ２１０に記憶される。さらに、内部当選役が決定された後、「停止制御テーブル」を選択するために再び乱数のサンプリングが行われる。
【００８２】
回転リール３Ｌ、３Ｃ、３Ｒの回転が開始された後、ステッピングモータ５９Ｌ、５９Ｃ、５９Ｒの各々に供給される駆動パルスの数が計数され、その計数値はＲＡＭ４３の所定エリアに書き込まれる。回転リール３Ｌ、３Ｃ、３Ｒからは一回転毎にリセットパルスが得られ、これらのパルスはリール位置検出回路６０を介してＣＰＵ４１に入力される。こうして得られたリセットパルスにより、ＲＡＭ４３で計数されている駆動パルスの計数値が“０”にクリアされる。これにより、ＲＡＭ４３内には、各回転リール３Ｌ、３Ｃ、３Ｒについて一回転の範囲内における回転位置に対応した計数値が格納される。
【００８３】
上記のような回転リール３Ｌ、３Ｃ、３Ｒの回転位置と回転リール外周面上に描かれた図柄とを対応づけるために、図柄テーブルが、ＲＯＭ４２内に格納されている（図３参照）。この図柄テーブルでは、前述したリセットパルスが発生する回転位置を基準として、各回転リール３Ｌ、３Ｃ、３Ｒの一定の回転ピッチ毎に順次付与されるコードナンバーと、それぞれのコードナンバー毎に対応して設けられた図柄を示す図柄コードとが対応づけられている。
【００８４】
更に、ＲＯＭ４２内には、入賞図柄組合せテーブルが格納されている。この入賞図柄組合せテーブルでは、入賞となる図柄の組合せと、入賞のメダル配当枚数と、その入賞を表す入賞判定コードとが対応づけられている。上記の入賞図柄組合せテーブルは、左の回転リール３Ｌ、中央の回転リール３Ｃ、右の回転リール３Ｒの停止制御時、及び全回転リール停止後の入賞確認を行うときに参照される。
【００８５】
上記乱数サンプリングに基づく抽選処理（確率抽選処理）により内部当選した場合には、ＣＰＵ４１は、遊技者が停止ボタン７Ｌ、７Ｃ、７Ｒを操作したタイミングでリール停止信号回路５６から送られる操作信号、及び、選択された「停止制御テーブル」に基づいて、回転リール３Ｌ、３Ｃ、３Ｒを停止制御する信号をモータ駆動回路４９に送る。
【００８６】
内部当選した役の入賞成立を示す停止態様となった場合、貯留メダル精算スイッチ１４の切り替えにより「払い出し」が選択されているときには、ＣＰＵ４１は、払い出し指令信号をホッパー駆動回路５１に供給してホッパー５０から所定個数のメダルの払い出しを行う。その際、メダル検出部５０Ｓは、ホッパー５０から払い出されるメダルの枚数を計数し、その計数値が指定された数に達したときに、メダル払い出し完了信号がＣＰＵ４１に入力される。これにより、ＣＰＵ４１は、ホッパー駆動回路５１を介してホッパー５０の駆動を停止し、「メダルの払い出し処理」を終了する。
一方、貯留メダル精算スイッチ１４の切り替えにより「クレジット」が選択されているときには、払い出されるべきメダルの数がクレジットとしてＲＡＭ４３に記憶されることになる。
【００８７】
ＣＰＵ４１を備えた主制御回路８１には、副制御回路８２が接続されている。
副制御回路８２は、主制御回路８１からの制御指令（コマンド）に基づいて、液晶表示装置５の表示制御及びスピーカ２１Ｌ、２１Ｒからの音の出力制御を行う。
【００８８】
図１１は、図１０に示した副制御回路の構成を示すブロック図である。
尚、本実施形態においては、主制御回路８１から副制御回路８２に対してコマンドを供給するとともに、副制御回路８２から主制御回路８１に対して信号を供給できないように構成したが、これに限らず、副制御回路８２から主制御回路８１に対して信号を送信できるように構成してもよい。
【００８９】
副制御回路８２は、サブＣＰＵ２０６、プログラムＲＯＭ２０８及びワークＲＡＭ２１０を備えている。また、副制御回路８２には、インターフェイス回路２４０を介して、決定ボタン２６及び取消ボタン２７が接続されている。
また、副制御回路８２は、液晶表示装置５における表示制御を行う表示制御回路２５０と、スピーカ２１から発生させる音に関する制御を行う音声制御回路２３０とを備えている。
【００９０】
サブＣＰＵ２０６には、プログラムＲＯＭ２０８に記憶されたプログラムに従って、各種の処理を実行する機能を有し、ＣＰＵ４１から供給される各種のコマンドに従って、副制御回路８２の制御を行う。特に、サブＣＰＵ２０６は、表示制御回路２５０に対する表示制御を行う。
また、サブＣＰＵ２０６は、主制御回路８１からリール停止コマンドを受信した場合、当該リール停止コマンドに基づいて、回転リール３により停止表示される図柄又は図柄の組合せと、プログラムＲＯＭ２０８に記憶された停止出目データ（図６参照）とを比較することにより、回転リール３により停止表示される図柄又は図柄の組合せがリーチ目であるか否かを判断する。そして、回転リール３により停止表示される図柄又は図柄の組合せがリーチ目であると判断した場合には、当該リーチ目に対応したリーチ目データ（ＵＲＬ）をエンコードして２次元コードを生成し、ワークＲＡＭ２１０に記憶させる。
続いて、サブＣＰＵ２０６は、プログラムＲＯＭ２０８から２次元コード表示パターンを抽出してＶＤＰ２１２に送信する。２次元コード表示パターンには、例えば、２次元コードを表示する位置や期間等、２次元コードを表示するために必要な各種のデータが含まれる。後述するように、２次元コード表示パターンを受信したＶＤＰ２１２は、当該２次元コード表示パターンに基づいて、ワークＲＡＭ２１０から２次元コードを読み出して液晶表示装置５に表示させる処理を行う。
本実施形態では、リーチ目データをエンコードして２次元コードを生成する場合について説明するが、本発明においては、２次元コードを予め画像データＲＯＭ２１６等に記憶させておいてもよい。
【００９１】
プログラムＲＯＭ２０８には、サブＣＰＵ２０６により、液晶表示装置５における遊技演出を制御するためのプログラムが記憶されており、その他には、演出に関する決定を行うためのテーブル等の各種のテーブルも記憶されている。
また、プログラムＲＯＭ２０８には、液晶表示装置５に表示される画面画像に対応した複数種類の演出パターンと、全ての回転リール３が停止した際に液晶表示装置５に表示される画面画像に対応した複数種類の終了演出パターンとが記憶されている。
また、プログラムＲＯＭ２０８には、回転リール３により停止表示された図柄の組合せがリーチ目であるか否かを判定するための停止出目データが記憶されている。
さらに、プログラムＲＯＭ２０８には、２次元コードを表示するための各種のデータを含む２次元コード表示パターンが記憶されている。
【００９２】
なお、本実施形態においては、プログラム、テーブル等を記憶する記憶媒体としてプログラムＲＯＭ２０８を用いるように構成したが、これに限らず、ＣＰＵ等を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。もちろん、プログラムＲＯＭ２０８に記憶されるものをＲＯＭ４２に記憶することとしてもよい。また、これらのプログラムは、予め記録されているものでなくとも、電源投入後にこれらのプログラムをダウンロードし、ワークＲＡＭ２１０等に記録されるものでもよい。更にまた、プログラムの各々が別々の記憶媒体に記録されていてもよい。
【００９３】
また、本実施形態において、ＣＰＵ４１及びＲＯＭ４２を含む主制御回路８１と、サブＣＰＵ２０６及びプログラムＲＯＭ２０８を含む副制御回路８２と、を別々に構成したが、これに限らず、ＣＰＵ４１及びＲＯＭ４２を含む主制御回路８１のみで構成してもよく、この場合には、上述したプログラムＲＯＭ２０８に記憶されているプログラムをＲＯＭ４２に記憶させ、ＣＰＵ４１により実行されるように構成してもよい。もちろん、サブＣＰＵ２０６及びプログラムＲＯＭ２０８を含む副制御回路８２のみで構成するようにしてもよく、この場合には、上述したＲＯＭ４２に記憶されているプログラムをプログラムＲＯＭ２０８に記憶させ、サブＣＰＵ２０６により実行されるように構成してもよい。
【００９４】
ワークＲＡＭ２１０は、サブＣＰＵ２０６の一時記憶領域として種々のフラグや変数の値を記憶する機能を有する。さらに、ワークＲＡＭ２１０は、リール停止コマンドに含まれる情報（例えば、回転リール３により停止表示された図柄を示すデータ等）や、リーチ目データをエンコードした２次元コード等を記憶する。
尚、本実施形態においては、サブＣＰＵ２０６の一時記憶領域としてワークＲＡＭ２１０を用いているが、これに限らず、読み書き可能な記憶媒体であればよい。
【００９５】
また、音声制御回路２３０は、音声に関する制御を行う音源ＩＣ２３２、各種の音声データを記憶する音声データＲＯＭ２３４、音声信号を増幅するための増幅器２３６（以下、ＡＭＰと称する。）から構成されている。
【００９６】
この音源ＩＣ２３２は、サブＣＰＵ２０６、音声データＲＯＭ２３４、ＡＭＰ２３６と接続されている。この音源ＩＣ２３２は、スピーカ２１から発生させる音声の制御を行う。
【００９７】
サブＣＰＵ２０６は、ＣＰＵ４１から供給されるコマンドに基づいて、音声データＲＯＭ２３４に記憶されている複数の音声データから一つの音声データを選択する。その後、サブＣＰＵ２０６は、選択された音声データを音声データＲＯＭ２３４から読み出し、音源ＩＣ２３２に供給する。音声データを受け取った音源ＩＣ２３２は、その音声データを所定の音声信号に変換し、その音声信号をＡＭＰ２３６に供給する。ＡＭＰ２３６は、音声信号を増幅させ、スピーカ２１（２１Ｌ及び２１Ｒ）から音声を発生させる。
【００９８】
表示制御回路２５０は、ＣＰＵ４１により決定された遊技結果、又は、各種ボタン２６、２７により入力された指示に応じて、画面画像を生成し、液晶表示装置５に上記画面画像を表示する制御を行うものであり、画像データプロセッサ（以下、ＶＤＰと称する。）２１２、各種の画像データを記憶する画像データＲＯＭ２１６、画像データを画像信号として変換するＤ／Ａコンバータ２１８から構成されている。ＶＤＰ２１２は、サブＣＰＵ２０６、画像データが記憶されている画像データＲＯＭ２１６、画像データを画像信号に変換するＤ／Ａコンバータ２１８と接続されている。
【００９９】
このＶＤＰ２１２は、いわゆるスプライト回路、スクリーン回路、及びパレット回路等の各種の回路を含み、液晶表示装置５に画面画像を表示させるための種々の処理を行うことができる装置である。つまり、ＶＤＰ２１２は、液晶表示装置５に対する表示制御を行う。また、ＶＤＰ２１２には、液晶表示装置５の透明液晶パネル３４に画面画像を表示するためのバッファとしての記憶媒体（例えば、ビデオＲＡＭ）を備えている。この記憶媒体の所定の記憶領域に画像データを記憶することによって、所定のタイミングで液晶表示装置５の透明液晶パネル３４に画面画像が表示されることとなる。
【０１００】
画像データＲＯＭ２１６は、例えば、背景画像、キャラクタを表すキャラクタ画像等を記憶する。本実施形態では、リーチ目データをエンコードして２次元コードを生成する場合について説明するが、本発明においては、２次元コードを予め画像データＲＯＭ２１６に記憶させておいてもよい。
【０１０１】
ＶＤＰ２１２は、サブＣＰＵ２０６から供給される画像表示命令（コマンド）に応じて、画像データＲＯＭ２１６から、演出画像を抽出する。また、ＶＤＰ２１２は、サブＣＰＵ２０６から２次元コード表示パターンを受信したとき、当該２次元コード表示パターンに基づいて、ワークＲＡＭ２１０から２次元コードを抽出する。
【０１０２】
ＶＤＰ２１２は、画像データＲＯＭ２１６又はワークＲＡＭ２１０から抽出した各種画像を、後方に位置する画像から順に、例えば、背景画像、キャラクタ画像、２次元コードの順に、重ね合わせてバッファ（例えば、ビデオＲＡＭ等）に記憶することにより画面画像を合成し、所定のタイミングでＤ／Ａコンバータ２１８に供給する。Ｄ／Ａコンバータ２１８は、この画面画像を画像信号として変換し、この画像信号を液晶表示装置５に供給する。その結果、液晶表示装置５に、２次元コード９２が表示される（図２参照）。
遊技者は、液晶表示装置５に表示された２次元コード９２を、携帯電話機３００が備えるＣＣＤカメラ３０８により撮像することができる。
このとき、液晶表示装置５は、リーチ目データをコード化したコード情報を、外部から撮像手段により撮像可能な態様で表示するコード情報表示手段として機能する。
【０１０３】
第１実施形態では、サブＣＰＵ２０６が当選役データをエンコードして２次元コードを生成する場合について説明するが、本発明においては、遊技機が備える記憶手段に２次元コードが記憶されることとしてもよい。
【０１０４】
以下においては、パチスロ遊技装置１は起動しており、ＣＰＵ４１において用いられる変数は所定の値に初期化されるとともに、設定値も所定の値に設定された状態で定常動作しているものとする。
【０１０５】
図１２は、主制御回路において行われる遊技実行処理のメインルーチンを示すフローチャートである。
【０１０６】
まず、ＣＰＵ４１は、メダルの自動投入の要求があるか否かを判断する（ステップＳ１２０）。なお、自動投入の要求がある場合とは、先の遊技において再遊技（リプレイ）の入賞が成立した場合である。メダルの自動投入の要求があるときには、投入要求分のメダルを自動投入し（ステップＳ１２２）、副制御回路８２にメダル投入コマンドを送信する（ステップＳ１２３）。
【０１０７】
一方、ステップＳ１２０において、メダルの自動投入の要求がないと判断した場合、ＣＰＵ４１は、メダルが投入されたか否かを判断する（ステップＳ１２１）。すなわち、ＣＰＵ４１は、メダル投入口２２にメダルが投入されたことを検知した投入メダルセンサ２２Ｓにより発せられる検知信号を受信したか否か、又は、ＢＥＴスイッチ（１−ＢＥＴスイッチ１１又は最大ＢＥＴスイッチ１３）により発せられる検知信号を受信したか否かを判断することにより、メダルが投入されたか否かを判断する。なお、ＢＥＴスイッチ（１−ＢＥＴスイッチ１１又は最大ＢＥＴスイッチ１３）により発せられる検出信号を受信したと判断した場合、ＣＰＵ４１は、ＲＡＭ４３に記憶されたクレジット数から、ＢＥＴされたメダルの数に相当するクレジット数を減算する処理を行う。
【０１０８】
ステップＳ１２１において、メダルが投入されていないと判断した場合、ＣＰＵ４１は、処理をステップＳ１２０に戻す。
また、ステップＳ１２１において、メダルが投入されたと判断した場合、又は、ステップＳ１２３の処理が実行された場合には、ＣＰＵ４１は、スタートレバー６が操作されたか否かを判断する（ステップＳ１２４）。すなわち、ＣＰＵ４１は、スタートスイッチ６Ｓからの入力信号を受信したか否かを判断するのである。
【０１０９】
ステップＳ１２４において、スタートレバー６が操作されていないと判断した場合、ＣＰＵ４１は、処理をステップＳ１２０に戻す。一方、ステップＳ１２４において、スタートレバー６が操作されたと判断した場合、ＣＰＵ４１は、後述する入賞判定を行い、内部当選役を決定する（ステップＳ１２５）。
次に、ＣＰＵ４１は、各種設定に係る処理を行う（ステップＳ１２６）。この各種設定処理では、例えば、ＷＩＮランプ点灯抽選処理、回転リールを停止させるための停止制御テーブルの選択に係る処理、リール回転用に初期化する処理等を行い、回転リール３（３Ｌ、３Ｃ、３Ｒ）の回転を開始させる。
【０１１０】
回転リール３Ｌ、３Ｃ、３Ｒの回転が開始された後、ステッピングモータ５９Ｌ、５９Ｃ、５９Ｒの各々に送信される駆動パルスの数が計数され、その計数値はＲＡＭ４３に記憶される。回転リール３Ｌ、３Ｃ、３Ｒから一回転ごとにリセットパルスが得られ、これらのパルスはリール位置検出回路６０を介してＣＰＵ４１に入力される。こうして得られたリセットパルスにより、ＲＡＭ４３で計数されている駆動パルスに計数値が「０」にクリアされる。このようにすることにより、ＲＡＭ４３内には、各回転リール３Ｌ、３Ｃ、３Ｒについての一回転の範囲内における回転位置に対応した計数値が格納される。
【０１１１】
また、回転リール３Ｌ、３Ｃ、３Ｒの回転位置と回転リール外周面上に描かれた図柄とを対応付けるためにＲＯＭ４２に格納された図柄テーブルでは、上述したリセットパルスが発生する回転位置を基準として、各回転リール３Ｌ、３Ｃ、３Ｒの一定の回転ピッチごとに順次付与されるコードナンバーと、それぞれのコードナンバーごとに対応して設けられた図柄を示す図柄コードとが対応付けられている。また、ＲＯＭ４２に格納された入賞図柄組合せテーブルは、各回転リール３Ｌ、３Ｃ、３Ｒの停止制御時、及び、全回転リール停止後の入賞確認を行うときに参照される。
ステップＳ１２６の処理を実行した後、ＣＰＵ４１は、処理をステップＳ１２７に移す。
【０１１２】
ステップＳ１２７において、ＣＰＵ４１は、ＲＡＭ４３に演出開始コマンドをセットする。この演出開始コマンドは、液晶表示装置５への所定の演出画像の表示を開始させるためのコマンドであり、上記抽選処理により決定された内部当選役に関するデータを含んでいる。演出開始コマンドは、所定のタイミングで副制御回路８２に供給される。
ステップＳ１２７の処理を実行した後、ＣＰＵ４１は、処理をステップＳ１２８に移す。
【０１１３】
ステップＳ１２８において、ＣＰＵ４１は、リール停止信号回路５６からの入力信号の有無により、停止ボタン７（７Ｌ、７Ｃ、７Ｒ）が「オン」であるか否かを判断する（ステップＳ１２８）。停止ボタン７が「オン」ではないと判断した場合、ＣＰＵ４１は、自動停止タイマの値が「０」であるか否かを判断し（ステップＳ１２９）、「０」ではないと判断した場合には、処理をステップＳ１２８に戻す。
【０１１４】
一方、ステップＳ１２８において、停止ボタン７が「オン」であると判断した場合、又は、ステップＳ１２９において、自動停止タイマの値が「０」であると判断した場合、ＣＰＵ４１は、停止ボタン７に対応した回転リール３の回転を停止させるのであるが、その際、当選要求（内部当選役のこと）、図柄位置（操作時における回転リール３の回転位置）、選択されている停止制御テーブル等から滑りコマ数を決定する（ステップＳ１３０）。
【０１１５】
次に、ＣＰＵ４１は、ステップＳ１３０において決定された滑りコマ数分、回転リール３を回転させて停止させる処理を行い（ステップＳ１３１）、一の回転リール３についての停止要求をセットし（ステップＳ１３２）、副制御回路８２にリール停止コマンドを送信する（ステップＳ１３３）。
【０１１６】
次に、ＣＰＵ４１は、３つの回転リール３（３Ｌ、３Ｃ、３Ｒ）の全てが停止したか否かを判断する（ステップＳ１３５）。全ての回転リール３が停止していないと判断した場合、処理をステップＳ１２８に戻す。一方、全ての回転リール３が停止したと判断した場合、後述するＣＰＵ４１は入賞検索を行う（ステップＳ１３６）。このとき、ＲＯＭ４２に格納された入賞図柄組合せテーブル等が参照されることになる。また、入賞フラグが正常であるか否かを判断し、正常でない場合には、イリーガルエラーの表示を行って処理を中断することとしてもよい。
【０１１７】
次に、ＣＰＵ４１は、ＲＡＭ４３に終了演出コマンドをセットする（ステップＳ１３７）。この終了演出コマンドは、遊技結果に応じた遊技終了時の演出画像を表示させるためのコマンドであり、ステップＳ１３６における入賞検索の結果に関するデータを含む。終了演出コマンドは、所定のタイミングで副制御回路８２に供給される。
【０１１８】
次に、ＣＰＵ４１は、メダルの払出があるか否か、すなわち、入賞枚数の有無を判断する（ステップＳ１３８）。
メダルの払出があると判断した場合、ＣＰＵ４１は、遊技状態及び入賞役に応じた枚数のメダルの貯留又は払出を行う（ステップＳ１３９）。メダルの貯留を行う場合には、ＣＰＵ４１は、ＲＡＭ４３に記憶されたクレジット数を加算する処理を行う。一方、メダルの払出を行う場合には、ＣＰＵ４１は、払出指令信号をホッパー駆動回路５１に送信してホッパー５０から所定枚数のメダルの払出を行う。その際、メダル検出部５０Ｓは、ホッパー５０から払い出されるメダルの枚数を計数し、その計数値が指定された数に達したときに、メダル払出完了信号がＣＰＵ４１に入力される。これにより、ＣＰＵ４１は、ホッパー駆動回路５１を介してホッパー５０の駆動を停止し、メダルの払出処理を終了する。
【０１１９】
次に、ＣＰＵ４１は、ＲＢに入賞したか否かを判断する（ステップＳ１４０）。ＲＢに入賞したと判断すると、ＣＰＵ４１は、ＲＢ設定に係る処理を行う（ステップＳ１４１）。このステップＳ１４１において、ＣＰＵ４１は、ＲＢ用の確率抽選テーブルや、ＲＢ用の入賞図柄組合せテーブルの設定に係る処理を行う。また、このステップＳ１４１において、ＣＰＵ４１は、ＲＢゲーム入賞回数等の計数を開始し、その計数値を役物作動回数表示部２０に表示させる処理を開始する。ステップＳ１４１の処理を実行した後、ＣＰＵ４１は、処理をステップＳ１４２に移す。
【０１２０】
ステップＳ１４２において、ＣＰＵ４１は、ＲＡＭ４３にＲＢ設定コマンドをセットする。ＲＢ設定コマンドは、画面画像としてのＲＢ用の演出画像を液晶表示装置５に表示させるためのコマンドであり、所定のタイミングで副制御回路８２に供給される。
【０１２１】
ステップＳ１４０においてＲＢに入賞していないと判断された場合、又は、ステップＳ１４２の処理が実行された場合、ＣＰＵ４１は、ＢＢに入賞したか否かを判断する（ステップＳ１４３）。ＢＢに入賞したと判断すると、ＣＰＵ４１は、ＢＢ設定に係る処理を行う（ステップＳ１４４）。このステップＳ１４４において、ＣＰＵ４１は、ＢＢ用の確率抽選テーブルや、ＢＢ用の入賞図柄組合せテーブル等の設定に係る処理を行う。また、このステップＳ１４６において、ＣＰＵ４１は、ＢＢゲーム消化回数等の計数や、その計数値の役物動作回数表示部２０への表示や、払い出されたメダルの計数等を開始する。
このとき、ＣＰＵ４１は、特別遊技状態（ＢＢ）に移行する特別遊技状態移行手段として機能する。
その後、ＣＰＵ４１は、処理をステップＳ１４５へ移す。
【０１２２】
ステップＳ１４５において、ＣＰＵ４１は、ＲＡＭ４３にＢＢ設定コマンドをセットする。ＢＢ設定コマンドは、画面画像としてのＢＢ用の演出画像を液晶表示装置５に表示させるためのコマンドであり、所定のタイミングで副制御回路８２に供給される。
【０１２３】
ステップＳ１４３において、ＢＢに入賞していないと判断された場合、又は、ステップＳ１４５の処理を実行した場合、ＣＰＵ４１は、ＲＢが終了したか否かを判断する（ステップＳ１４６）。ＲＢが終了したと判断すると、次に、ＣＰＵ４１は、ＲＢ設定解除に係る処理を行う（ステップＳ１４７）。ステップＳ１４８において、ＣＰＵ４１は、ステップＳ１４１の処理で設定したＲＢ用の確率抽選テーブルや、ＲＢ用の入賞図柄組合せテーブル等から、通常の遊技状態（ＲＢ又はＢＢ以外）に用いられる確率抽選テーブルへの設定変更に係る処理を行う。その後、ＣＰＵ４１は、処理をステップＳ１４８へ移す。
【０１２４】
ステップＳ１４８において、ＣＰＵ４１は、ＲＡＭ４３にＲＢ解除コマンドをセットする。ＲＢ解除コマンドは、画面画像としてのＲＢ用の演出画像の表示を停止し、通常（ＲＢ又はＢＢ以外）の演出画像を液晶表示装置５に表示させるためのコマンドである。ＲＢ解除コマンドは、所定のタイミングで副制御回路８２に供給される。
【０１２５】
ステップＳ１４６において、ＲＢが終了したと判断されなかった場合、又は、ステップＳ１４８の処理を実行した場合、ＣＰＵ４１は、ＢＢが終了したか否かを判断する（ステップＳ１４９）。ＢＢが終了したと判断すると、次に、ＣＰＵ４１は、ＢＢ設定解除に係る処理を行う（ステップＳ１５０）。ステップＳ１５０において、ＣＰＵ４１は、ステップＳ１４４の処理で設定したＢＢ用の抽選テーブルや、ＢＢ用の入賞図柄組合せテーブル等から、通常の遊技状態（ＲＢ又はＢＢ以外）に用いられる確率抽選テーブルへの設定変更に係る処理を行う。このとき、ＣＰＵ４１は、特別遊技状態を終了させる特別遊技状態終了手段として機能する。
その後、ＣＰＵ４１は、処理をステップＳ１５１へ移す。
【０１２６】
ステップＳ１５１において、ＣＰＵ４１は、ＲＡＭ４３にＢＢ解除コマンドをセットする。ＢＢ解除コマンドは、画面画像としてのＢＢ用の演出画像の表示を停止し、通常（ＲＢ又はＢＢ以外）の演出画像を液晶表示装置５に表示させるためのコマンドである。ＢＢ解除コマンドは、所定のタイミングで副制御回路８２に供給される。
ステップＳ１４９において、ＲＢが終了していないと判断した場合、又は、ステップＳ１５１の処理を実行した場合、本サブルーチンを終了する。
【０１２７】
図１３は、図１２に示したサブルーチンのステップＳ１２５において呼び出されて実行される入賞判定処理のサブルーチンを示すフローチャートである。
まず、ＣＰＵ４１は、持越内部当選役がＲＡＭ４３に記憶されているか否かを判断する（ステップＳ１６０）。持越内部当選役は、後述する図１４に示すサブルーチンのステップＳ１８４において生成されてＲＡＭ４３に記憶されるものである。
【０１２８】
ステップＳ１６０において、持越内部当選役がＲＡＭ４３に記憶されていないと判断した場合には、ＣＰＵ４１は、遊技状態に応じた確率抽選テーブル（図５参照）をＲＯＭ４２から読み出してＲＡＭ４３にセットする（ステップＳ１６１）。そして、ＣＰＵ４１は、０〜１６３８３の数値範囲に含まれる乱数を発生させる乱数発生器１４６から乱数サンプリング回路１４７により乱数をサンプリングし（ステップＳ１６２）、サンプリングした乱数に基づいて、ＲＡＭ４３にセットされた確率抽選テーブルを参照し、内部当選役を決定する（ステップＳ１６３）。決定された内部当選役を示すデータはＲＡＭ４３に記憶される。
一方、ステップＳ１６０において、持越内部当選役がＲＡＭ４３に記憶されていると判断した場合、ＣＰＵ４１は、内部当選役を決定する抽選を行うための処理（ステップＳ１６１、Ｓ１６２）を行わずに、持越内部当選役を内部当選役として決定する（ステップＳ１６３）。ステップＳ１６３の処理を実行した後、本サブルーチンを終了する。
【０１２９】
図１４は、図１２に示したサブルーチンのステップＳ１３６において呼び出されて実行される入賞検索処理のサブルーチンを示すフローチャートである。
まず、ＣＰＵ４１は、回転リール３により停止表示される図柄の組合せにより入賞役を決定する（ステップＳ１８１）。次に、ＣＰＵ４１は、決定された入賞役が内部当選役と合致するか否かを判断する（ステップＳ１８２）。決定された入賞役が内部当選役と合致すると判断した場合には、本サブルーチンを終了する。
一方、決定された入賞役が内部当選役と合致しないと判断した場合、当該内部当選役が所定の内部当選役（ＢＢ）であるか否かを判断する（ステップＳ１８３）。
所定の内部当選役（ＢＢ）ではないと判断した場合、本サブルーチンを終了する。
所定の内部当選役（ＢＢ）であると判断した場合、内部当選役を持越内部当選役としてＲＡＭ４３に記憶させ（ステップＳ１８４）、本サブルーチンを終了する。ＲＡＭ４３に記憶された持越内部当選役は、次の遊技において図１３に示した入賞判定処理が行われた際に用いられ、当該次の遊技における内部当選役となる。
ステップＳ１８４の処理を実行するとき、ＣＰＵ４１は、当選役決定手段（ＣＰＵ４１）によって特定の当選役（ＢＢ）が決定され、変動表示手段（回転リール３）によって当該特定の当選役を示す入賞態様となるように識別情報（図柄）の停止表示がされなかった場合に、次の遊技に当該特定の当選役を持ち越す特定当選役持越手段として機能する。
【０１３０】
図１５は、副制御回路において行われるコマンド受信処理のサブルーチンを示すフローチャートである。
まず、ステップＳ２００において、サブＣＰＵ２０６は、演出開始コマンドを受信したか否かを判断する。演出開始コマンドを受信していないと判断した場合、処理をステップＳ２１０に移す。
一方、演出開始コマンドを受信したと判断した場合、ステップＳ２０１において、サブＣＰＵ２０６は、プログラムＲＯＭ２０８に記憶された複数種類の演出パターンのなかから、当該コマンドに対応した演出パターンを選択する。
サブＣＰＵ２０６は、ＲＢフラグがセットされている場合には、ＲＢ用の演出パターンを選択する。また、ＢＢフラグがセットされている場合には、ＢＢ用の演出パターンを選択する。次に、ステップＳ２０２において、演出パターンを示すデータである演出パターンデータを表示制御回路２５０に供給する。
ステップＳ２０２の処理を実行した後、ステップＳ２１０に処理を移す。
【０１３１】
ステップＳ２１０において、サブＣＰＵ２０６は、終了演出コマンドを受信したか否かを判断する。終了演出コマンドを受信していないと判断した場合、処理をステップＳ２２０に移す。
一方、終了演出コマンドを受信したと判断した場合、ステップＳ２１１において、サブＣＰＵ２０６は、プログラムＲＯＭ２０８に記憶された複数種類の終了演出パターンのなかから、当該コマンドに対応した終了演出パターンを選択する。
次に、ステップＳ２１２において、終了演出パターンデータを表示制御回路２５０に供給する。ステップＳ２１０の処理を実行した後、処理をステップＳ２２０に移す。
【０１３２】
ステップＳ２２０において、サブＣＰＵ２０６は、ＲＢ設定コマンドを受信したか否かを判断する。ＲＢ設定コマンドを受信していないと判断した場合、処理をステップＳ２３０に移す。一方、ＲＢ設定コマンドを受信したと判断した場合、サブＣＰＵ２０６は、ステップＳ２２１において、ＲＢフラグをセットする。ステップＳ２２１の処理を実行した後、処理をステップＳ２３０に移す。なお、ＲＢフラグは、ＲＢ開始時にセットされ、ＲＢ終了時にクリアされるフラグである。
【０１３３】
ステップＳ２３０において、サブＣＰＵ２０６は、ＢＢ設定コマンドを受信したか否かを判断する。ＢＢ設定コマンドを受信していないと判断した場合、処理をステップＳ２４０に移す。一方、ＢＢ設定コマンドを受信したと判断した場合、サブＣＰＵ２０６は、ステップＳ２３１において、ＢＢフラグをセットする。ＢＢフラグは、ＢＢ開始時にセットされ、ＢＢ終了時にクリアされるフラグである。
ステップＳ２３１の処理を実行した後、ステップＳ２４０に処理を移す。
【０１３４】
ステップＳ２３０において、ＢＢ設定コマンドを受信していないと判断した場合、又は、ステップＳ２３１の処理を実行した場合、サブＣＰＵ２０６は、ＲＢ解除コマンドを受信したか否かを判断する（ステップＳ２４０）。ＲＢ解除コマンドを受信したと判断した場合、ＲＢフラグをクリアする（ステップＳ２４１）。
【０１３５】
ステップＳ２４０において、ＲＢ解除コマンドを受信していないと判断した場合、又は、ステップＳ２４１の処理を実行した場合、サブＣＰＵ２０６は、ＢＢ解除コマンドを受信したか否かを判断する（ステップＳ２５０）。
ＢＢ解除コマンドを受信していないと判断した場合、ステップＳ２６０に処理を移す。
一方、ＢＢ解除コマンドを受信していないと判断した場合、サブＣＰＵ２０６は、ＢＢフラグをクリアする（ステップＳ２５１）。ステップＳ２５１の処理を実行した後、ステップＳ２６０に処理を移す。
【０１３６】
ステップＳ２５０において、ＢＢ解除コマンドを受信していないと判断した場合、又は、ステップＳ２５１の処理を実行した場合、サブＣＰＵ２０６は、主制御回路８１から、リール停止コマンドを受信したか否かを判断する（ステップＳ２６０）。
リール停止コマンドを受信していないと判断した場合、本サブルーチンを終了する。
一方、リール停止コマンドを受信したと判断した場合、サブＣＰＵ２０６は、当該リール停止コマンドに基づいて、回転リール３により停止表示される図柄又は図柄の組合せと、プログラムＲＯＭ２０８に記憶された停止出目データ（図６参照）とを比較し、（ステップＳ２６１）、回転リール３により停止表示される図柄又は図柄の組合せが、リーチ目であるか否かを判断する（ステップＳ２６２）。
【０１３７】
ステップＳ２６２において、回転リール３により停止表示される図柄又は図柄の組合せが、リーチ目であると判断した場合、サブＣＰＵ２０６は、当該リーチ目に基づいて、プログラムＲＯＭ２０８に記憶されたリーチ目データテーブルを参照し、リーチ目データを抽出する（ステップＳ２６３）。
【０１３８】
図１６は、リーチ目データテーブルの一例を示す図である。
Ｎｏ．１のリーチ目（図６（ａ）参照）に対応するリーチ目データとしてのＵＲＬは“http://***.***.003.htm”である。このＵＲＬに基づいてサーバ２００にアクセスすると、Ｎｏ．１のリーチ目を表すリーチ目表示データが携帯電話機３００に送信される。
【０１３９】
Ｎｏ．２のリーチ目（図６（ｂ）参照）に対応するリーチ目データとしてのＵＲＬは“http://***.***.004.htm”である。このＵＲＬに基づいてサーバ２００にアクセスすると、Ｎｏ．２のリーチ目を表すリーチ目表示データがサーバ２００から携帯電話機３００に送信される。
【０１４０】
Ｎｏ．３のリーチ目（図６（ｃ）参照）に対応するリーチ目データとしてのＵＲＬは“http://***.***.005.htm”である。このＵＲＬに基づいてサーバ２００にアクセスすると、Ｎｏ．３のリーチ目を表すリーチ目表示データがサーバ２００から携帯電話機３００に送信される。
【０１４１】
Ｎｏ．４のリーチ目（図６（ｄ）参照）に対応するリーチ目データとしてのＵＲＬは“http://***.***.006.htm”である。このＵＲＬに基づいてサーバ２００にアクセスすると、Ｎｏ．４のリーチ目を表すリーチ目表示データがサーバ２００から携帯電話機３００に送信される。
【０１４２】
Ｎｏ．５のリーチ目（図６（ｅ）参照）に対応するリーチ目データとしてのＵＲＬは“http://***.***.007.htm”である。このＵＲＬに基づいてサーバ２００にアクセスすると、Ｎｏ．５のリーチ目を表すリーチ目表示データがサーバ２００から携帯電話機３００に送信される。
【０１４３】
Ｎｏ．６のリーチ目（図６（ｆ）参照）に対応するリーチ目データとしてのＵＲＬは“http://***.***.008.htm”である。このＵＲＬに基づいてサーバ２００にアクセスすると、Ｎｏ．６のリーチ目を表すリーチ目表示データがサーバ２００から携帯電話機３００に送信される。
【０１４４】
ステップＳ２６３において当選役データとしてのＵＲＬを抽出した後、サブＣＰＵ２０６は、エンコード処理を行い、当選役データとしてのＵＲＬを２次元コードにコード化する（ステップＳ２６４）。このエンコード処理については、後で図１７を用いて詳述することにする。
次に、サブＣＰＵ２０６は、ステップＳ２６４において生成された２次元コードをワークＲＡＭ２１０に記憶させる（ステップＳ２６５）。
次に、サブＣＰＵ２０６は、プログラムＲＯＭ２０８から２次元コード表示パターンデータを読み出して表示制御回路２５０に供給し（ステップＳ２６６）、本サブルーチンを終了する。
【０１４５】
図１７は、図１５に示したサブルーチンのステップＳ２６４において呼び出されて実行されるエンコード処理のサブルーチンを示すフローチャートである。
【０１４６】
まず、サブＣＰＵ２０６は、図１５に示したサブルーチンのステップＳ２６３において抽出されたリーチ目データとしてのＵＲＬをワークＲＡＭ２１０にセットする（ステップＳ４００）。図中では、リーチ目データとしてのＵＲＬの一例としてhttp://***.***/.004.htmを示している。
【０１４７】
次に、サブＣＰＵ２０６は、ワークＲＡＭ２１０に、リーチ目データの文字種（例えば、数字、英数字、漢字等）に応じたモード識別子を作成する（ステップＳ４０１）。
次に、サブＣＰＵ２０６は、ワークＲＡＭ２１０に、リーチ目データの文字数に応じた文字数識別子を作成する（ステップＳ４０２）。
次に、サブＣＰＵ２０６は、リーチ目データを２進化する処理を行う（ステップＳ４０３）。
次に、サブＣＰＵ２０６は、ステップＳ４０１〜Ｓ４０３により得られたデータに終端パターンを付加する処理を行う（ステップＳ４０４）。
【０１４８】
次に、サブＣＰＵ２０６は、ステップＳ４０４により得られたデータのコード語変換を行い（ステップＳ４０５）、さらに、ステップＳ４０５により得られたデータに基づいてエラー訂正コード語を作成し、ステップＳ４０５により得られたデータに付加する（ステップＳ４０６）。次に、サブＣＰＵ２０６は、ステップＳ４０６により得られたデータを２進化し、マトリックス状に配置する処理を行う（ステップＳ４０７）。
次に、サブＣＰＵ２０６は、ステップＳ４０７により得られたデータに対して所定パターンのマスクをかける処理を行う（ステップＳ４０８）。次に、エラー訂正レベルとマスク識別子とを含む形式情報を付加する処理を行い（ステップＳ４０９）、２次元コードを生成する（ステップＳ４１０）。生成された２次元コードは、ワークＲＡＭ２１０に記憶される。
その後、本サブルーチンを終了する。
【０１４９】
本実施形態においては、リーチ目データとしてのＵＲＬのみを２次元コードにエンコード（コード化）する場合について説明したが、本発明においては、リーチ目データと他のデータ（例えば、遊技機の機種を示すデータ、遊技機を識別するための当該遊技機の固有のデータ等）とをエンコードすることとしてもよい。
【０１５０】
図１８は、表示制御回路において行われる表示制御処理のサブルーチンを示すフローチャートである。
ＶＤＰ２１２は、サブＣＰＵ２０６から供給される各種のデータに対応した画面画像を生成する。
ＶＤＰ２１２は、サブＣＰＵ２０６から演出パターンデータの供給を受けていない場合には（ステップＳ３００：ＮＯ）、画像データＲＯＭ２１６からデモ画像を抽出し、バッファに記憶する（ステップＳ３０１）。
【０１５１】
ＶＤＰ２１２は、サブＣＰＵ２０６から演出パターンデータの供給を受けており（ステップＳ３００：ＹＥＳ）、終了演出パターンデータの供給を受けていない場合には（ステップＳ３０４：ＮＯ）、画像データＲＯＭ２１６から演出画像を抽出し、バッファに記憶する（ステップＳ３０５）。
【０１５２】
ＶＤＰ２１２は、サブＣＰＵ２０６から演出パターンデータの供給を受け（ステップＳ３００：ＹＥＳ）、終了演出パターンデータの供給を受けている場合（ステップＳ３０４：ＹＥＳ）、画像データＲＯＭ２１６から、終了時の演出画像を抽出し、バッファに記憶する（ステップＳ３０６）。
ステップＳ３０１、Ｓ３０５又はＳ３０６の処理を実行した後、ＶＤＰ２１２は、２次元コード表示パターンデータの供給を受けた場合には（ステップＳ３２０：ＹＥＳ）、ワークＲＡＭ２１０から２次元コードを抽出し、バッファに記憶する（ステップＳ３２１）。
このとき、ステップＳ３１０、Ｓ３０５又はＳ３０６において抽出されてバッファに記憶された演出画像に重ね合わせて２次元コードを記憶する。
その後、２次元コードの表示を終了するタイミングであれば（ステップＳ３２３：ＹＥＳ）、２次元コード表示パターンデータをクリアする（ステップＳ３２４）。
【０１５３】
次に、所定のタイミング毎（例えば、１／３０秒毎）に（ステップＳ３０７：ＹＥＳ）、画面画像を液晶表示装置５に出力する（ステップＳ３０８）。その結果、液晶表示装置５には、図２に示すように、２次元コード９２が表示されることになる。
一方、所定のタイミングではない場合には（ステップＳ３０７：ＮＯ）、処理をステップＳ３０７に戻す。
【０１５４】
その後、演出が終了していない場合には（ステップＳ３１０：ＮＯ）、ステップＳ３００に処理を戻す。一方、演出が終了した場合には（ステップＳ３１０：ＹＥＳ）、処理をステップＳ３００に戻す。
【０１５５】
本実施形態においては、変動表示手段としての回転リール３により停止表示される図柄又は図柄の組合せがリーチ目である場合に、当該リーチ目に対応するリーチ目データをエンコードした２次元コードを表示する場合について説明したが、本発明においてコード情報を表示するタイミングは、この例に限定されるものではない。
例えば、所定の遊技状態が成立した場合に、コード情報を表示することとしてもよい。ここで、「所定の遊技状態が成立した場合」とは、例えば、通常遊技状態（ＢＢ又はＲＢ状態以外の遊技状態）からＢＢ又はＲＢ状態に移行した場合や、ＢＢ又はＲＢ状態から通常遊技状態に移行した場合等、或る遊技状態から他の遊技状態に移行することをいう。
また、本発明において、コード情報表示手段は、所定の遊技状態が成立した場合にコード情報を表示する他、例えば、リーチ目以外の所定の図柄又は所定の図柄の組合せが停止表示されたこと、所定のゲーム数が行われたこと、差枚数や投入数等の遊技結果に関連する数値が所定値に達したこと、コード情報を表示するか否かを決定するための専用の抽選に当選したこと、遊技機で行われるパチスロ遊技若しくはパチンコ遊技以外の所謂２次ゲームを遊技者がクリアしたこと又は当該２次ゲームにおいて遊技者が勝利したこと等、所定の条件が成立した場合にコード情報を表示することとしてもよい。
【０１５６】
また、本実施形態においては、内部当選役がＢＢである場合のみ、次の遊技に当該内部当選役を持ち越すことができる場合について説明したが、持ち越すことが可能な内部当選役の種類は、特に限定されるものではない。
【０１５７】
図１９は、図１に示した携帯電話機の内部構成を示すブロック図である。
なお、携帯電話機３００は、本発明における携帯端末機に相当する。
携帯端末機３００は、操作部３０４、液晶パネル３０６、撮像手段としてのＣＣＤカメラ３０８、無線部３１０、音声回路３１２、スピーカ３１４、マイク３１６、送受信アンテナ３１８、不揮発性メモリ３２０、マイクロコンピュータ３２２及び二次電池３２４を備えている。
【０１５８】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された受信信号をスピーカ３１４に出力するとともに、マイク３１６から出力された音声信号を送信信号としてマイクロコンピュータ３２２を通じて無線部３１０に出力する。
【０１５９】
スピーカ３１４は、音声回路３１２から出力された受信信号を受信音声に変換して出力し、マイク３１６は、操作者から発せられた送信音声を音声信号に変換して音声回路３１２に出力する。
ＣＣＤカメラ３０８は、パチスロ遊技装置１の液晶表示装置５に表示される２次元コード９２を撮像可能であり、撮像して得られた画像データは不揮発性メモリ３２０に記憶される。本実施形態では、撮像手段としてＣＣＤカメラを用いる場合について説明するが、本発明における撮像手段は、特に限定されるものではなく、例えば、ＣＭＯＳセンサカメラ等を挙げることができる。
【０１６０】
不揮発性メモリ３２０は、例えば、ＣＣＤカメラ３０８が２次元コード９２を撮像して得られた画像データ、待受画像用の画像データ、着メロ用の音楽データ等の各種データや各種プログラムを不揮発的に記憶する。
二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ３２２が無線部３１０及び送受信アンテナ３１８を介して行う。
【０１６１】
マイクロコンピュータ３２２は、操作部３０４を介して入力された所定の指示に基づいて、インターネットを介してサーバ２００から所定のプログラムをダウンロードし、不揮発性メモリ３２０に格納する。そして、マイクロコンピュータ３２２は、上記プログラムを不揮発性メモリ３２０から読み出して実行することにより、下記（Ａ）〜（Ｂ）のように機能する。
【０１６２】
（Ａ）マイクロコンピュータ３２２は、ＣＣＤカメラ３０８が２次元コード９２を撮像した際に得られる画像データから２次元コードを認識し、この認識した２次元コードからリーチ目データを生成する。このとき、マイクロコンピュータ３２２は、コード情報認識手段として機能する。
（Ｂ）マイクロコンピュータ３２２は、上記（Ａ）において生成されたリーチ目データを、無線部３１０及び送受信アンテナ３１８により、インターネットを介して、サーバ２００に送信する。このとき、マイクロコンピュータ３２２は、持越時停止態様データ送信手段として機能する。
【０１６３】
本実施形態では、携帯端末機３００がサーバ２００からプログラムをダウンロードする場合について説明するが、予め携帯端末機３００の不揮発性メモリ３２２に記憶される（プレインストールされる）こととしてもよい。
【０１６４】
図２０は、図１に示したサーバの内部構成を示すブロック図である。
サーバ２００は、演算処理装置としてのＣＰＵ２０１と、ＲＯＭ２０２と、ＲＡＭ２０３と、携帯電話機３００とインターネットを介して通信するための通信用インターフェイス回路２０４と、ハードディスクドライブ２０５とを備えている。
【０１６５】
ハードディスクドライブ２０５には、リーチ目を表すリーチ目表示データを、リーチ目データとしてのＵＲＬに対応させて記憶している。
なお、本実施形態において、リーチ目表示データは、遊技機メーカのウェブサイトを構成するウェブページを表すデータであり、例えば、リーチ目を表すテキストデータや画像データ等によって構成される。
ハードディスクドライブ２０５は、持越時停止態様表示データ記憶手段として機能するものである。
【０１６６】
携帯電話機３００からリーチ目データとしてのＵＲＬと携帯電話機３００のＩＤデータとを受信すると、ＣＰＵ２０１は、ハードディスクドライブ２０５から、ＵＲＬに応じたリーチ目表示データを読み出し、通信用インターフェイス回路２０４により、インターネットを介して、携帯電話機３００に送信する。その結果、携帯電話機３００の液晶パネル３０６には、リーチ目を表示するリーチ目表示データに基づくウェブページが表示され、遊技者は、そのウェブページを見ることにより、リーチ目を確認することができる。
【０１６７】
また、ハードディスクドライブ２０５は、携帯電話機３００にダウンロードさせるためのプログラムを記憶している。ＣＰＵ２０１は、プログラムのダウンロードを要求する旨の信号を携帯電話機３００から受信した際に、ハードディスクドライブ２０５からプログラムを読み出し、上記プログラムを通信用インターフェイス回路２０４からインターネットを介して携帯電話機３００に送信する。
【０１６８】
図２１は、携帯電話機とサーバとにおいて行われる処理を示すフローチャートである。
まず、携帯電話機３００が備えるマイクロコンピュータ３２２は、操作部３０４を介して入力された指示に基づいて、撮像手段としてのＣＣＤカメラ３０８を駆動させ、ＣＣＤカメラ３０８は、パチスロ遊技装置１の液晶表示装置５に表示された画面画像に含まれる２次元コード９２を撮像する（ステップＳ５００）。
【０１６９】
その後、マイクロコンピュータ３２２は、ステップＳ５００において得られた画像データを不揮発性メモリ３２０に記憶させる（ステップＳ５０１）。
次に、マイクロコンピュータ３２２は、２次元コード認識処理を行い（ステップＳ５０２）、ステップＳ５００において得られた画像データから２次元コードを認識し、この認識した２次元コードからリーチ目データを生成する。２次元コード認識処理については、後で詳述することにする。
【０１７０】
ステップＳ５０２において、マイクロコンピュータ３２２は、ＣＣＤカメラ３０８（撮像手段）が２次元コード（コード情報）を撮像した際に得られる画像データから２次元コードを認識し、この認識した２次元コードから、リーチ目データ（持越時停止態様データ）を生成するコード情報認識手段として機能する。
【０１７１】
次に、マイクロコンピュータ３２２は、ステップＳ５０２における２次元コード認識処理により得られたリーチ目データを、携帯電話機３００のＩＤデータとともに、無線部３１０及び送受信アンテナ３１８により、インターネットを介してサーバ２００に送信する（ステップＳ５０３）。
ステップＳ５０３において、マイクロコンピュータ３２２は、ステップＳ５０２において生成されたリーチ目データ（持越時停止態様データ）をサーバ２００に送信する持越時停止態様データ送信手段として機能する。
【０１７２】
サーバ２００が備えるＣＰＵ２０１は、携帯電話機３００からインターネットを介して、リーチ目データ（ＵＲＬ）と携帯電話機３００のＩＤデータとを受信すると、上記当選役データ（ＵＲＬ）及びＩＤデータをハードディスクドライブ２０５に記憶させる（ステップＳ６０１）。
次に、ＣＰＵ２０１は、ステップＳ６０１において受信したリーチ目データとしてのＵＲＬに対応したリーチ目報表示データ（ウェブページデータ）を、ハードディスクドライブ２０５から抽出する（ステップＳ６０２）。
このとき、ＣＰＵ２０１は、携帯電話機３００から受信したリーチ目データ（持越時停止態様データ）に基づいて、ハードディスクドライブ２０５（持越時停止態様表示データ記憶手段）からリーチ目表示データ（持越時停止態様表示データ）を抽出する抽出手段として機能する。
そして、ＣＰＵ２０１は、リーチ目表示データを携帯電話機３００に送信する（ステップＳ６０３）。
ＣＰＵ２０１は、ステップＳ６０２において抽出されたリーチ目表示データ（持越時停止態様表示データ）を携帯電話機３００に送信する持越時停止態様表示データ送信手段として機能する。
【０１７３】
携帯電話機３００のマイクロコンピュータ３２２は、サーバ２００から送信されたリーチ目表示データ（ウェブページデータ）を不揮発性メモリ３２０に記憶させ、当該リーチ目表示データに基づき、リーチ目表示画像を液晶パネル３０６に表示させる。
その結果、遊技者は、携帯電話機３００によってリーチ目を確認することができる。
【０１７４】
図２２は、図２１に示した処理のステップＳ５０１において呼び出されて実行される２次元コード認識処理を示すフローチャートである。
まず、マイクロコンピュータ３２２は、不揮発性メモリ３２０に記憶された画像データに対して画像変換処理を行う（ステップＳ７００）。画像変換処理は、撮像されて得られた画像データから、２次元コードが表示されている領域の画像データを抜き出し、傾きや歪みを補正し、所定の閾値によりモノクロ画像に変換し、正面視した２次元コードを含む画像データを得る処理である。
【０１７５】
次に、マイクロコンピュータ３２２は、ステップＳ７００において得られた画像データから２次元コードを抽出し、ノイズ除去等の補正を行う（ステップＳ７０１）。
次に、マイクロコンピュータ３２２は、ステップＳ７０１において得られた２次元コードの２値化処理を行い、２次元コードを構成する各ドットを“０”又は“１”に置き換え（ステップＳ７０２）、２値化マトリックスデータを生成する（ステップＳ７０３）。
次に、マイクロコンピュータ３２２は、２値化マトリックスデータをデコードし（ステップＳ７０４）、リーチ目データを生成する（ステップＳ７０５）。その後、本サブルーチンを終了し、図２１に示したフローチャートのステップＳ５０３に処理を移すのである。
【０１７６】
上述したように、携帯電話機３００が、リーチ目データとしてのＵＲＬと、携帯電話機３００のＩＤデータとをサーバ２００に送信すると（図２１、ステップＳ５０３）、このＵＲＬに対応したリーチ目表示データ（ウェブページデータ）がサーバ２００から携帯電話機３００に送信され（図２１、ステップＳ６０３）、携帯電話機３００の液晶パネル３０６には、例えば、図２３に示すような画像が表示される。
図２３は、携帯電話機に表示されるリーチ目表示画像の一例を示す図である。
液晶パネル３０６の中央部分には“リーチ目です”という画像が表示されるとともに、Ｎｏ．２のリーチ目（図６（ｂ）参照）を表すリーチ目表示画像が表示されている。遊技者は、この画像を見ることにより、リーチ目を確認することができる。
【０１７７】
以上、第１実施形態によれば、特定の当選役（ＢＢ）が持ち越されている場合にのみリール３により停止表示される図柄（リーチ目）に対応したリーチ目データ（持越時停止態様データ）をコード化した２次元コードが、外部から撮像手段により撮像可能な態様で表示されるため、携帯電話機３００が備えるＣＣＤカメラ３０８で２次元コードを撮像し、得られた画像データからリーチ目データを生成してサーバ２００にアクセスすることにより、リーチ目を表示するリーチ目表示データをサーバ２００から取得することができる。
従って、遊技者は、携帯電話機３００によりリーチ目を確認することができるため、他の遊技者に当該リーチ目を知られないようにすることが可能である。
【０１７８】
［第２実施形態］
第１実施形態に係るサービス提供システム５００においては、携帯電話機３００が、コード情報認識手段を備えていたが、第２実施形態に係るサービス提供システムにおいては、サーバ２００が、コード情報認識手段を備える場合について説明する。
なお、第２実施形態に係るサービス提供システムを構成するパチスロ遊技装置、携帯電話機及びサーバの外観及び内部構成（図１〜図１１、図１９、図２０参照）と、パチスロ遊技装置において実行される処理（図１２〜図１８参照）とについては、第１実施形態と同様であるから、ここでの説明は省略することとし、ここでは、携帯電話機とサーバとにおいて実行される処理について説明することとする。以下においては、第１実施形態に係るサービス提供システムの構成要素と同一の構成要素には、同一の符号を付して説明することとする。
【０１７９】
図２４は、第２実施形態に係るサービス提供システムを構成する携帯電話機３００とサーバ２００とにおいて行われる処理を示すフローチャートである。
まず、携帯電話機３００が備えるマイクロコンピュータ３２２は、操作部３０４を介して入力された指示に基づいて、撮像手段としてのＣＣＤカメラ３０８を駆動させ、ＣＣＤカメラ３０８は、パチスロ遊技装置１の液晶表示装置５に表示された画面画像に含まれる２次元コード９２を撮像する（ステップＳ５１０）。
【０１８０】
その後、マイクロコンピュータ３２２は、操作部３０４を介して入力された指示、又は、予めサーバ２００から送信されたアドレスを示すデータに基づいて、サーバ２００内の所定のアドレス（例えば、遊技機メーカのサイトを示すＵＲＬ）にアクセスし、携帯電話機３００のＩＤデータとともに、ＣＣＤカメラ３０８が２次元コード９２を撮像した際に得られる画像データを、従来公知の通信規約（例えばＦＴＰ等）に基づいて、無線部３１０及び送受信アンテナ３１８により、インターネットを介してサーバ２００に送信する（ステップＳ５１１）。
【０１８１】
サーバ２００が備えるＣＰＵ２０１は、携帯電話機３００からインターネットを介して、画像データと携帯電話機３００のＩＤデータとを受信すると、上記画像データ及びＩＤデータをハードディスクドライブ２０５に記憶させる（ステップＳ６１０）。
次に、ＣＰＵ２０１は、２次元コード認識処理を行い（ステップＳ６１１）、携帯電話機３００のＣＣＤカメラ３０８（撮像手段）が２次元コード（コード情報）を撮像した際に得られる画像データから２次元コードを認識し、この認識した２次元コードからリーチ目データを生成する。２次元コード認識処理については、第１実施形態における２次元コード認識処理と同様であり、既に図２２を用いて説明済であるから、ここでの説明は省略する。
【０１８２】
次に、ＣＰＵ２０１は、ステップＳ６１１の２次元コード認識処理により得られたリーチ目データを、携帯電話機３００のＩＤデータと対応付けてハードディスクドライブ２０５に記憶させる（ステップＳ６１２）。
次に、ＣＰＵ２０１は、ステップＳ６１１の２次元コード認識処理により得られたリーチ目データとしてのＵＲＬに対応したリーチ目表示データ（ウェブページデータ）を、ハードディスクドライブ２０５から抽出する（ステップＳ６１３）。そして、ＣＰＵ２０１は、リーチ目表示データを携帯電話機３００に送信する（ステップＳ６１４）。
【０１８３】
携帯電話機３００のマイクロコンピュータ３２２は、サーバ２００から送信されたリーチ目表示データを不揮発性メモリ３２０に記憶させ、当該リーチ目表示データに基づき、液晶パネル３０６に、リーチ目表示画像を表示する（図２３参照）。その結果、遊技者は、内部当選役を把握することができる。
【０１８４】
本発明においては、コード化されるデータに時限情報を含ませることが可能である。すなわち、リーチ目データとその時点の日時を示すデータとをコード化した２次元コードを遊技機が表示し、サーバは、２次元コードに基づくリーチ目データとその時点の日時を示すデータとを受信又は生成した際、これらのデータを受信又は生成した日時と、リーチ目データを２次元コードにコード化した日時とに基づいて所定期間（例えば、１日、１週間等）が経過しているか否かを判断し、所定期間が経過していると判断した場合には、リーチ目表示データを携帯端末機に送信せず、期限切れである旨を表す画像を携帯端末機に表示させるためのデータを、携帯端末機に送信することが可能である。
【０１８５】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１８６】
【図１】第１実施形態に係るサービス提供システムの一例を示すネットワーク構成図である。
【図２】図１に示したパチスロ遊技装置の一例を模式的に示す斜視図である。
【図３】リール上に配列された図柄列を示した図である。
【図４】入賞図柄組合せに対応する入賞役及び払い出し枚数を示す図である。
【図５】確率抽選テーブルを示した図である。
【図６】（ａ）〜（ｆ）は、リーチ目の一例を示した図である。
【図７】液晶表示装置に表示される画像の一例を模式的に示す図である。
【図８】図１に示したパチスロ遊技装置が備える液晶表示装置の概略構成を示す斜視図である。
【図９】図８に示した液晶表示装置の一部の構成の展開図である。
【図１０】図１に示したパチスロ遊技装置の内部構成を示すブロック図である。
【図１１】図１０に示した副制御回路の構成を示すブロック図である。
【図１２】主制御回路において行われる遊技実行処理のメインルーチンを示すフローチャートである。
【図１３】図１２に示した処理のステップＳ１２６において呼び出されて実行される入賞判定処理のサブルーチンを示すフローチャートである。
【図１４】図１２に示した処理のステップＳ１３６において呼び出されて実行される入賞検索処理のサブルーチンを示すフローチャートである。
【図１５】副制御回路において行われるコマンド受信処理のサブルーチンを示すフローチャートである。
【図１６】図１５に示したサブルーチンのステップＳ２６３において用いられる当選役データテーブルを示す図である。
【図１７】図１５に示したサブルーチンのステップＳ２６４において呼び出されて実行されるエンコード処理のサブルーチンを示すフローチャートである。
【図１８】表示制御回路において行われる表示制御処理のサブルーチンを示すフローチャートである。
【図１９】図１に示した携帯電話機の内部構成を示すブロック図である。
【図２０】図１に示したサーバの内部構成を示すブロック図である。
【図２１】携帯電話機とサーバとにおいて行われる処理を示すフローチャートである。
【図２２】図２１に示した処理のステップＳ５０１において呼び出されて実行される２次元コード認識処理を示すフローチャートである。
【図２３】携帯電話機に表示される内部当選役を報知するための画像の一例を示す図である。
【図２４】第２実施形態に係るサービス提供システムを構成する携帯電話機とサーバとにおいて行われる処理を示すフローチャートである。
【符号の説明】
【０１８７】
１  パチスロ遊技装置
２  筐体
３（３Ｌ、３Ｃ、３Ｒ）  回転リール
５  液晶表示装置
３４  透明液晶パネル
３６  反射フィルム
４１  ＣＰＵ
４２  ＲＯＭ
４３  ＲＡＭ
８２  副制御回路
９１  演出画像
９２  ２次元コード
２００  サーバ
２０１  ＣＰＵ
３００  携帯電話機
３０８  ＣＣＤカメラ
３２０  不揮発性メモリ
３２２  マイクロコンピュータ
５００  サービス提供システム
【図１】
2006075521.tif 000003
【図２】
2006075521.tif 000004
【図３】
2006075521.tif 000005
【図４】
2006075521.tif 000006
【図５】
2006075521.tif 000007
【図６】
2006075521.tif 000008
【図７】
2006075521.tif 000009
【図８】
2006075521.tif 000010
【図９】
2006075521.tif 000011
【図１０】
2006075521.tif 000012
【図１１】
2006075521.tif 000013
【図１２】
2006075521.tif 000014
【図１３】
2006075521.tif 000015
【図１４】
2006075521.tif 000016
【図１５】
2006075521.tif 000017
【図１６】
2006075521.tif 000018
【図１７】
2006075521.tif 000019
【図１８】
2006075521.tif 000020
【図１９】
2006075521.tif 000021
【図２０】
2006075521.tif 000022
【図２１】
2006075521.tif 000023
【図２２】
2006075521.tif 000024
【図２３】
2006075521.tif 000025
【図２４】
2006075521.tif 000026